(57)【要約】本願は、通信方法及び通信装置を開示する。方法は、ネットワークデバイスによって、データチャネルの開始シンボルの基準位置を示すよう端末デバイスへ指示情報を送信することと、ネットワークデバイスによって、物理ダウンリンク制御チャネルを端末デバイスへ送信することと、ネットワークデバイスによって、データチャネルを端末デバイスへ送信すること、又はネットワークデバイスによって、端末デバイスによって送信されたデータやネルを受信することとを含む。本願の技術的解決法に従って、データチャネルの開始シンボルの基準位置は、指示情報を使用することによって柔軟に示され、それにより、データチャネルの正確な受信及び送信が確保可能であり、物理ダウンリンク制御チャネルの送信オケージョンは制限され得ない。
2021518080.tif 000002
【特許請求の範囲】
【請求項１】
データチャネルの開始シンボルの基準位置を示すために使用される第１指示情報をネットワークデバイスから受信することと、
物理ダウンリンク制御チャネルＰＤＣＣＨを前記ネットワークデバイスから受信することと、
前記第１指示情報及び前記ＰＤＣＣＨに基づいて前記ネットワークデバイスから前記データチャネルを受信すること、又は前記第１指示情報及び前記ＰＤＣＣＨに基づいて前記ネットワークデバイスへ前記データチャネルを送信することと
を有する通信方法。
【請求項２】
前記基準位置は、スロット境界、制御リソースセットの開始シンボル、前記制御リソースセットの終了シンボル、前記ＰＤＣＣＨの開始シンボル、及び前記ＰＤＣＣＨの終了シンボル、のうちのいずれか１つを有する、
請求項１に記載の方法。
【請求項３】
前記第１指示情報は、端末デバイスに関連するか、あるいは、前記第１指示情報は、ダウンリンク制御情報のフォーマットに関連する、
請求項１又は２に記載の方法。
【請求項４】
データチャネルの開始シンボルのインデックス及び前記データチャネルによって占有されるシンボルの数の少なくとも１つの組を有する上位レイヤシグナリングを前記ネットワークデバイスから受信することを更に有する、
請求項１乃至３のうちいずれか一項に記載の方法。
【請求項５】
前記上位レイヤシグナリングが一組の開始シンボルのインデックスＳ１及び占有されるシンボルの数Ｌ１を有する場合に、前記データチャネルの開始シンボルのインデックスのコンフィグレーション値ＳがＳ１に等しくかつ前記データチャネルによって占有されるシンボルの数のコンフィグレーション値がＬ１に等しいと決定すること、又は
前記上位レイヤシグナリングが少なくとも二組の開始シンボルのインデックス及び占有されるシンボルの数を有し、前記ＰＤＣＣＨによって示される開始シンボルのインデックスがＳ２であり、占有されるシンボルの数がＬ２である場合に、前記データチャネルの開始シンボルのインデックスのコンフィグレーション値ＳがＳ２に等しくかつ前記データチャネルによって占有されるシンボルの数のコンフィグレーション値ＬがＬ２に等しいと決定すること
を更に有し、
開始シンボルのインデックスＳ２及び占有されるシンボルの数Ｌ２は、前記少なくとも二組の開始シンボルのインデックス及び占有されるシンボルの数のうちの一組である、
請求項４に記載の方法。
【請求項６】
前記基準位置は、スロット境界であり、
前記第１指示情報及び前記ＰＤＣＣＨに基づいて前記ネットワークデバイスから前記データチャネルを受信すること、又は前記第１指示情報及び前記ＰＤＣＣＨに基づいて前記ネットワークデバイスへ前記データチャネルを送信することは、
前記ＰＤＣＣＨの開始シンボルのインデックスＴが前記データチャネルの開始シンボルのインデックスのコンフィグレーション値Ｓ以上である場合に、前記データチャネルの開始シンボルのインデックスの実際の値Ｓ（ｒｅａｌ）が前記ＰＤＣＣＨの開始シンボルのインデックスＴに等しく、かつ、前記データチャネルによって占有されるシンボルの数の実際の値Ｌ（ｒｅａｌ）が前記データチャネルによって占有されるシンボルの数のコンフィグレーション値Ｌ、又は前記データチャネルによって占有されるシンボルの数のコンフィグレーション値Ｌと、１つのスロットに含まれるシンボルの数とＳ（ｒｅａｌ）との間の差との間のより小さい値に等しいと決定することと、
前記データチャネルの開始シンボルのインデックスの実際の値及び前記データチャネルによって占有されるシンボルの数の実際の値に基づいて前記ネットワークデバイスから前記データチャネルを受信すること、又は前記データチャネルの開始シンボルのインデックスの実際の値及び前記データチャネルによって占有されるシンボルの数の実際の値に基づいて前記ネットワークデバイスへ前記データチャネルを送信することと
を有する、
請求項５に記載の方法。
【請求項７】
前記基準位置は、スロット境界であり、
前記第１指示情報及び前記ＰＤＣＣＨに基づいて前記ネットワークデバイスから前記データチャネルを受信すること、又は前記第１指示情報及び前記ＰＤＣＣＨに基づいて前記ネットワークデバイスへ前記データチャネルを送信することは、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）が前記データチャネルの開始シンボルのインデックスのコンフィグレーション値Ｓに等しく、かつ、前記データチャネルによって占有されるシンボルの数の実際の値Ｌ（ｒｅａｌ）が前記データチャネルによって占有されるシンボルの数のコンフィグレーション値Ｌに等しいと決定することと、
前記データチャネルの開始シンボルのインデックスの実際の値及び前記データチャネルによって占有されるシンボルの数の実際の値に基づいて前記ネットワークデバイスから前記データチャネルを受信すること、又は前記データチャネルの開始シンボルのインデックスの実際の値及び前記データチャネルによって占有されるシンボルの数の実際の値に基づいて前記ネットワークデバイスへ前記データチャネルを送信することと
を有する、
請求項５に記載の方法。
【請求項８】
前記基準位置は、スロット境界であり、
前記第１指示情報及び前記ＰＤＣＣＨに基づいて前記ネットワークデバイスから前記データチャネルを受信すること、又は前記第１指示情報及び前記ＰＤＣＣＨに基づいて前記ネットワークデバイスへ前記データチャネルを送信することは、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）が前記ＰＤＣＣＨの開始シンボルのインデックスＴに等しく、かつ、前記データチャネルによって占有されるシンボルの数の実際の値Ｌ（ｒｅａｌ）が前記データチャネルによって占有されるシンボルの数のコンフィグレーション値Ｌに等しいと決定することと、
前記データチャネルの開始シンボルのインデックスの実際の値及び前記データチャネルによって占有されるシンボルの数の実際の値に基づいて前記ネットワークデバイスから前記データチャネルを受信すること、又は前記データチャネルの開始シンボルのインデックスの実際の値及び前記データチャネルによって占有されるシンボルの数の実際の値に基づいて前記ネットワークデバイスへ前記データチャネルを送信することと
を有する、
請求項５に記載の方法。
【請求項９】
データチャネルの開始シンボルの基準位置を示すために使用される第１指示情報を端末デバイスへ送信することと、
物理ダウンリンク制御チャネルＰＤＣＣＨを前記端末デバイスへ送信することと、
前記端末デバイスへ前記データチャネルを送信すること、又は前記端末デバイスから前記データチャネルを受信することと
を有する通信方法。
【請求項１０】
前記基準位置は、スロット境界、制御リソースセットの開始シンボル、前記制御リソースセットの終了シンボル、前記ＰＤＣＣＨの開始シンボル、及び前記ＰＤＣＣＨの終了シンボル、のうちのいずれか１つを有する、
請求項９に記載の方法。
【請求項１１】
前記第１指示情報は、前記端末デバイスに関連するか、あるいは、前記第１指示情報は、ダウンリンク制御情報のフォーマットに関連する、
請求項９又は１０に記載の方法。
【請求項１２】
データチャネルの開始シンボルのインデックス及び前記データチャネルによって占有されるシンボルの数の少なくとも１つの組を有する上位レイヤシグナリングを前記端末デバイスへ送信することを更に有する、
請求項９乃至１１のうちいずれか一項に記載の方法。
【請求項１３】
前記上位レイヤシグナリングが一組の開始シンボルのインデックスＳ１及び占有されるシンボルの数Ｌ１を有する場合に、前記データチャネルの開始シンボルのインデックスのコンフィグレーション値ＳはＳ１に等しく、かつ、前記データチャネルによって占有されるシンボルの数のコンフィグレーション値はＬ１に等しく、あるいは、
前記上位レイヤシグナリングが少なくとも二組の開始シンボルのインデックス及び占有されるシンボルの数を有する場合に、前記ＰＤＣＣＨによって示されるデータチャネルの開始シンボルのインデックスのコンフィグレーション値Ｓは、Ｓ２に等しく、かつ、占有されるシンボルの数のコンフィグレーション値Ｌは、Ｌ２に等しく、開始シンボルのインデックスＳ２及び占有されるシンボルの数Ｌ２は、前記少なくとも二組の開始シンボルのインデックス及び占有されるシンボルの数のうちの一組である、
請求項１２に記載の方法。
【請求項１４】
前記基準位置は、スロット境界であり、
前記ＰＤＣＣＨの開始シンボルのインデックスＴが前記データチャネルの開始シンボルのインデックスのコンフィグレーション値Ｓ以上である場合に、前記データチャネルの開始シンボルのインデックスの実際の値Ｓ（ｒｅａｌ）は、前記ＰＤＣＣＨの開始シンボルのインデックスＴに等しく、かつ、前記データチャネルによって占有されるシンボルの数の実際の値Ｌ（ｒｅａｌ）は、前記データチャネルによって占有されるシンボルの数のコンフィグレーション値Ｌ、又は前記データチャネルによって占有されるシンボルの数のコンフィグレーション値Ｌと、１つのスロットに含まれるシンボルの数とＳ（ｒｅａｌ）との間の差との間のより小さい値に等しい、
請求項１３に記載の方法。
【請求項１５】
前記基準位置は、スロット境界であり、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）は、前記データチャネルの開始シンボルのインデックスのコンフィグレーション値Ｓに等しく、かつ、前記データチャネルによって占有されるシンボルの数の実際の値Ｌ（ｒｅａｌ）は、前記データチャネルによって占有されるシンボルの数のコンフィグレーション値Ｌに等しい、
請求項１３に記載の方法。
【請求項１６】
前記基準位置は、スロット境界であり、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）は、前記ＰＤＣＣＨの開始シンボルのインデックスＴに等しく、かつ、前記データチャネルによって占有されるシンボルの数の実際の値Ｌ（ｒｅａｌ）は、前記データチャネルによって占有されるシンボルの数のコンフィグレーション値Ｌに等しい、
請求項１３に記載の方法。
【請求項１７】
データチャネルの開始シンボルの基準位置を示すために使用される第１指示情報をネットワークデバイスから受信するよう構成される受信ユニットであり、物理ダウンリンク制御チャネルＰＤＣＣＨを前記ネットワークデバイスから受信するよう更に構成される前記受信ユニットと、
前記第１指示情報及び前記ＰＤＣＣＨに基づいて前記ネットワークデバイスから前記データチャネルを受信するか、あるいは、前記第１指示情報及び前記ＰＤＣＣＨに基づいて前記ネットワークデバイスへ前記データチャネルを送信するよう構成される処理ユニットと
を有する通信装置。
【請求項１８】
前記基準位置は、スロット境界、制御リソースセットの開始シンボル、前記制御リソースセットの終了シンボル、前記ＰＤＣＣＨの開始シンボル、及び前記ＰＤＣＣＨの終了シンボル、のうちのいずれか１つを有する、
請求項１７に記載の通信装置。
【請求項１９】
前記第１指示情報は、端末デバイスに関連するか、あるいは、前記第１指示情報は、ダウンリンク制御情報のフォーマットに関連する、
請求項１７又は１８に記載の通信装置。
【請求項２０】
前記受信ユニットは、データチャネルの開始シンボルのインデックス及び前記データチャネルによって占有されるシンボルの数の少なくとも１つの組を有する上位レイヤシグナリングを前記ネットワークデバイスから受信するよう更に構成される、
請求項１７乃至１９のうちいずれか一項に記載の通信装置。
【請求項２１】
前記処理ユニットは、前記上位レイヤシグナリングが一組の開始シンボルのインデックスＳ１及び占有されるシンボルの数Ｌ１を有する場合に、前記データチャネルの開始シンボルのインデックスのコンフィグレーション値ＳがＳ１に等しくかつ前記データチャネルによって占有されるシンボルの数のコンフィグレーション値がＬ１に等しいと決定するよう更に構成され、あるいは、
前記処理ユニットは、前記上位レイヤシグナリングが少なくとも二組の開始シンボルのインデックス及び占有されるシンボルの数を有し、前記ＰＤＣＣＨによって示される開始シンボルのインデックスがＳ２であり、占有されるシンボルの数がＬ２である場合に、前記データチャネルの開始シンボルのインデックスのコンフィグレーション値ＳがＳ２に等しくかつ前記データチャネルによって占有されるシンボルの数のコンフィグレーション値ＬがＬ２に等しいと決定するよう更に構成され、開始シンボルのインデックスＳ２及び占有されるシンボルの数Ｌ２は、前記少なくとも二組の開始シンボルのインデックス及び占有されるシンボルの数のうちの一組である、
請求項１７に記載の通信装置。
【請求項２２】
前記基準位置は、スロット境界であり、前記処理ユニットは、
前記ＰＤＣＣＨの開始シンボルのインデックスＴが前記データチャネルの開始シンボルのインデックスのコンフィグレーション値Ｓ以上である場合に、前記データチャネルの開始シンボルのインデックスの実際の値Ｓ（ｒｅａｌ）が前記ＰＤＣＣＨの開始シンボルのインデックスＴに等しく、かつ、前記データチャネルによって占有されるシンボルの数の実際の値Ｌ（ｒｅａｌ）が前記データチャネルによって占有されるシンボルの数のコンフィグレーション値Ｌ、又は前記データチャネルによって占有されるシンボルの数のコンフィグレーション値Ｌと、１つのスロットに含まれるシンボルの数とＳ（ｒｅａｌ）との間の差との間のより小さい値に等しいと決定し、
前記データチャネルの開始シンボルのインデックスの実際の値及び前記データチャネルによって占有されるシンボルの数の実際の値に基づいて前記ネットワークデバイスから前記データチャネルを受信するか、あるいは、前記データチャネルの開始シンボルのインデックスの実際の値及び前記データチャネルによって占有されるシンボルの数の実際の値に基づいて前記ネットワークデバイスへ前記データチャネルを送信する
よう構成される、
請求項２１に記載の通信装置。
【請求項２３】
前記基準位置は、スロット境界であり、前記処理ユニットは、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）が前記データチャネルの開始シンボルのインデックスのコンフィグレーション値Ｓに等しく、かつ、前記データチャネルによって占有されるシンボルの数の実際の値Ｌ（ｒｅａｌ）が前記データチャネルによって占有されるシンボルの数のコンフィグレーション値Ｌに等しいと決定し、
前記データチャネルの開始シンボルのインデックスの実際の値及び前記データチャネルによって占有されるシンボルの数の実際の値に基づいて前記ネットワークデバイスから前記データチャネルを受信するか、あるいは、前記データチャネルの開始シンボルのインデックスの実際の値及び前記データチャネルによって占有されるシンボルの数の実際の値に基づいて前記ネットワークデバイスへ前記データチャネルを送信する
よう構成される、
請求項２１に記載の通信装置。
【請求項２４】
前記基準位置は、スロット境界であり、前記処理ユニットは、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）が前記ＰＤＣＣＨの開始シンボルのインデックスＴに等しく、かつ、前記データチャネルによって占有されるシンボルの数の実際の値Ｌ（ｒｅａｌ）が前記データチャネルによって占有されるシンボルの数のコンフィグレーション値Ｌに等しいと決定し、
前記データチャネルの開始シンボルのインデックスの実際の値及び前記データチャネルによって占有されるシンボルの数の実際の値に基づいて前記ネットワークデバイスから前記データチャネルを受信するか、あるいは、前記データチャネルの開始シンボルのインデックスの実際の値及び前記データチャネルによって占有されるシンボルの数の実際の値に基づいて前記ネットワークデバイスへ前記データチャネルを送信する
よう構成される、
請求項２１に記載の通信装置。
【請求項２５】
データチャネルの開始シンボルの基準位置を示すために使用される第１指示情報を端末デバイスへ送信するよう構成される送信ユニットであり、物理ダウンリンク制御チャネルＰＤＣＣＨを前記端末デバイスへ送信するよう更に構成される前記送信ユニットと、
受信ユニットと
を有し、
前記送信ユニットが、前記端末デバイスへ前記データチャネルを送信するよう更に構成されるか、あるいは、前記受信ユニットが、前記端末デバイスから前記データチャネルを受信するよう構成される、
通信装置。
【請求項２６】
前記基準位置は、スロット境界、制御リソースセットの開始シンボル、前記制御リソースセットの終了シンボル、前記ＰＤＣＣＨの開始シンボル、及び前記ＰＤＣＣＨの終了シンボル、のうちのいずれか１つを有する、
請求項２５に記載の通信装置。
【請求項２７】
前記第１指示情報は、前記端末デバイスに関連するか、あるいは、前記第１指示情報は、ダウンリンク制御情報のフォーマットに関連する、
請求項２５又は２６に記載の通信装置。
【請求項２８】
前記送信ユニットは、データチャネルの開始シンボルのインデックス及び前記データチャネルによって占有されるシンボルの数の少なくとも１つの組を有する上位レイヤシグナリングを前記端末デバイスへ送信するよう更に構成される、
請求項２５至２７のうちいずれか一項に記載の通信装置。
【請求項２９】
前記上位レイヤシグナリングが一組の開始シンボルのインデックスＳ１及び占有されるシンボルの数Ｌ１を有する場合に、前記データチャネルの開始シンボルのインデックスのコンフィグレーション値ＳはＳ１に等しく、かつ、前記データチャネルによって占有されるシンボルの数のコンフィグレーション値はＬ１に等しく、あるいは、
前記上位レイヤシグナリングが少なくとも二組の開始シンボルのインデックス及び占有されるシンボルの数を有する場合に、前記ＰＤＣＣＨによって示されるデータチャネルの開始シンボルのインデックスのコンフィグレーション値Ｓは、Ｓ２に等しく、かつ、占有されるシンボルの数のコンフィグレーション値Ｌは、Ｌ２に等しく、開始シンボルのインデックスＳ２及び占有されるシンボルの数Ｌ２は、前記少なくとも二組の開始シンボルのインデックス及び占有されるシンボルの数のうちの一組である、
請求項２８に記載の通信装置。
【請求項３０】
前記基準位置は、スロット境界であり、
前記ＰＤＣＣＨの開始シンボルのインデックスＴが前記データチャネルの開始シンボルのインデックスのコンフィグレーション値Ｓ以上である場合に、前記データチャネルの開始シンボルのインデックスの実際の値Ｓ（ｒｅａｌ）は、前記ＰＤＣＣＨの開始シンボルのインデックスＴに等しく、かつ、前記データチャネルによって占有されるシンボルの数の実際の値Ｌ（ｒｅａｌ）は、前記データチャネルによって占有されるシンボルの数のコンフィグレーション値Ｌ、又は前記データチャネルによって占有されるシンボルの数のコンフィグレーション値Ｌと、１つのスロットに含まれるシンボルの数とＳ（ｒｅａｌ）との間の差との間のより小さい値に等しい、
請求項２９に記載の通信装置。
【請求項３１】
前記基準位置は、スロット境界であり、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）は、前記データチャネルの開始シンボルのインデックスのコンフィグレーション値Ｓに等しく、かつ、前記データチャネルによって占有されるシンボルの数の実際の値Ｌ（ｒｅａｌ）は、前記データチャネルによって占有されるシンボルの数のコンフィグレーション値Ｌに等しい、
請求項２９に記載の通信装置。
【請求項３２】
前記基準位置は、スロット境界であり、
前記ＰＤＣＣＨの開始シンボルのインデックスＴが前記データチャネルの開始シンボルのインデックスのコンフィグレーション値Ｓ以下である場合に、前記データチャネルの開始シンボルのインデックスの実際の値Ｓ（ｒｅａｌ）は、前記ＰＤＣＣＨの開始シンボルのインデックスＴに等しく、かつ、前記データチャネルによって占有されるシンボルの数の実際の値Ｌ（ｒｅａｌ）は、前記データチャネルによって占有されるシンボルの数のコンフィグレーション値Ｌに等しい、
請求項２９に記載の通信装置。
【請求項３３】
プロセッサ及びトランシーバ装置を有し、
前記プロセッサは、前記トランシーバ装置へ結合され、
前記プロセッサは、情報を受信及び送信するよう前記トランシーバ装置を制御するために、コンピュータプログラム又は命令を実行するよう構成され、
前記プロセッサが前記コンピュータプログラム又は命令を実行するとき、前記プロセッサは、請求項１乃至８のうちいずれか一項に記載の方法を実施するよう更に構成される、
通信装置。
【請求項３４】
プロセッサ及びトランシーバ装置を有し、
前記プロセッサは、前記トランシーバ装置へ結合され、
前記プロセッサは、情報を受信及び送信するよう前記トランシーバ装置を制御するために、コンピュータプログラム又は命令を実行するよう構成され、
前記プロセッサが前記コンピュータプログラム又は命令を実行するとき、前記プロセッサは、請求項９乃至１６のうちいずれか一項に記載の方法を実施するよう更に構成される、
通信装置。
【請求項３５】
コンピュータプログラム又は命令を記憶するコンピュータ可読記憶媒体であって、
前記コンピュータプログラム又は命令が実行されるとき、請求項１乃至８のうちいずれか一項に記載の方法が実施される、
コンピュータ可読記憶媒体。
【請求項３６】
コンピュータプログラム又は命令を記憶するコンピュータ可読記憶媒体であって、
前記コンピュータプログラム又は命令が実行されるとき、請求項９乃至１６のうちいずれか一項に記載の方法が実施される、
コンピュータ可読記憶媒体。
【請求項３７】
通信装置であって
プロセッサ及びインターフェース回路を有し、
前記インターフェース回路は、当該通信装置以外の他の通信装置から信号を受信し、該信号を前記プロセッサへ送信するか、あるいは、前記プロセッサから当該通信装置以外の他の通信装置へ信号を送信するよう構成され、
前記プロセッサは、論理回路又はコード命令を実行することによって請求項１乃至８のうちいずれか一項に記載の方法を実施するよう構成される、
通信装置。
【請求項３８】
通信装置であって
プロセッサ及びインターフェース回路を有し、
前記インターフェース回路は、当該通信装置以外の他の通信装置から信号を受信し、該信号を前記プロセッサへ送信するか、あるいは、前記プロセッサから当該通信装置以外の他の通信装置へ信号を送信するよう構成され、
前記プロセッサは、論理回路又はコード命令を実行することによって請求項９乃至１６のうちいずれか一項に記載の方法を実施するよう構成される、
通信装置。
【請求項３９】
コンピュータプログラム又は命令を有し、
前記コンピュータプログラム又は命令が実行されるとき、請求項１乃至８のうちいずれか一項に記載の方法が実施される、
コンピュータプログラム製品。
【請求項４０】
コンピュータプログラム又は命令を有し、
前記コンピュータプログラム又は命令が実行されるとき、請求項９乃至１６のうちいずれか一項に記載の方法が実施される、
コンピュータプログラム製品。
【発明の詳細な説明】
【技術分野】
【０００１】
本願は、通信技術の分野に、特に、通信方法及び通信装置に関係がある。
【背景技術】
【０００２】
先行技術では、サイズが限られている時間領域リソーステーブルが、全てのとり得る時間領域リソースの開始及び長さインジケータ値（start  and  length  indicator  value，ＳＬＩＶ）を示すために、上位レイヤシグナリングを使用することによってのみ構成される。現在、テーブルの最大サイズは１６であり、つまり、開始シンボル及び長さ（すなわち、占有されるシンボルの数）の最大１６組み合わせが構成可能である。この場合に、データチャネルの開始シンボルの基準位置が常にスロット（slot）境界である場合には、それは、１つのスロットで、データスケーリングのために開始シンボル及び長さの最大１６の可能な組み合わせがあることと同等である。
【０００３】
超高信頼かつ低レイテンシ通信（ultra-reliable  and  low-latency  communication，ＵＲＬＬＣ）サービスの高い信頼性要件のために、制御チャネルの信頼性を確保すべく、制御チャネルのビットの数は低減される必要があり、相応して、制御チャネル内の時間領域リソースインジケータフィールドのビットの数も低減される必要がある。そのため、より小さい時間領域リソーステーブルが構成される必要がある。例えば、開始シンボル及び長さの４つの可能な組み合わせが構成され得る。しかし、ＵＲＬＬＣサービスについては、レイテンシ要件が比較的に高いので、物理ダウンリンク制御チャネル（physical  downlink  control  channel，ＰＤＣＣＨ）はスロット内の如何なるシンボルでも送信される可能性がある。図１に示されるように、ＵＲＬＬＣサービスがスロット（slot）においてスケジューリングされる可能性がある潜在的なオケージョン（occasion）は、図に示されるオケージョン１から７である。更には、スケジューリングされるデータの長さは、比較的に柔軟である。そのため、ＰＤＣＣＨが送信されるとき、ネットワークデバイスによって構成される複数の又は全てのデータチャネルの時間領域リソースは、ＰＤＣＣＨが送信される時間領域リソースより前に位置する。結果として、端末デバイスは、ＰＤＣＣＨを受信する前に、受信された全てのデータをバッファリングする必要があり、その場合に、端末デバイスのバッファは増大し、端末デバイスの電力消費は増える。
【発明の概要】
【０００４】
本願は、データチャネルの開始シンボルの基準位置を柔軟に決定するよう、通信方法及び通信装置を提供する。
【０００５】
第１の態様に従って、通信方法が提供される。方法は、データチャネルの開始シンボルの基準位置を示すために使用される第１指示情報をネットワークデバイスから受信することと、物理ダウンリンク制御チャネルＰＤＣＣＨをネットワークデバイスから受信することと、第１指示情報及びＰＤＣＣＨに基づいてネットワークデバイスからデータチャネルを受信すること、又は第１指示情報及びＰＤＣＣＨに基づいてネットワークデバイスへデータチャネルを送信することとを含む。
【０００６】
この態様では、データチャネルの開始シンボルの基準位置は、指示情報を使用することによって柔軟に示され、それにより、デーチャネルの正確な受信及び送信が確保可能であり、ＰＤＣＣＨの送信オケージョンは制限され得ない。
【０００７】
第１の態様を参照して、第１の可能な実施で、基準位置は、スロット境界、制御リソースセットの開始シンボル、制御リソースセットの終了シンボル、ＰＤＣＣＨの開始シンボル、及びＰＤＣＣＨの終了シンボル、のうちのいずれか１つを含む。
【０００８】
第１の態様又は第１の態様の第１の可能な実施を参照して、第２の可能な実施で、第１指示情報は、端末デバイスに関連するか、あるいは、第１指示情報は、ダウンリンク制御情報のフォーマットに関連する。
【０００９】
この実施で、ＰＤＣＣＨの開始シンボル（又はＰＤＣＣＨの終了シンボル、制御リソースセットの開始シンボル、制御リソースセットの終了シンボル、制御エリアの開始シンボル、又は制御エリアの終了シンボル）は、データチャネルの開始シンボルの基準位置となるよう、緊急事態サービス伝送要件又は比較的に高い伝送信頼性要件を有している端末デバイスのために設定され、それにより、データチャネルは、制御チャネルの前に現れないようにされ得、端末デバイスによってバッファリングされるデータの量は低減可能であり、端末デバイスの電力消費は低減可能である。スロット境界は、基準位置となるよう、比較的に低いサービスレイテンシ要件を有する端末デバイスのために設定され、それにより、端末デバイスによってＰＤＣＣＨ指示情報をパースする複雑性の低減は確かにされ得る。データチャネルは、基準位置として毎回スロット境界を使用することによって受信され得、それにより、端末デバイスの実施複雑性は低減され得る。同様に、リソースはまた、異なるＤＣＩフォーマットごとに異なる基準位置を設定することによって適切に使用可能である。例えば、ＰＤＣＣＨの開始シンボル（ＰＤＣＣＨの終了シンボル、制御リソースセットの開始シンボル、制御リソースセットの終了シンボル、制御エリアの開始シンボル、又は制御エリアの終了シンボル）は、開始シンボルの基準位置となるよう、緊急事態サービスをスケジューリングするために使用されるＤＣＩフォーマットのために設定され、それにより、データチャネルは、制御チャネルの前に現れないようにされ得、端末デバイスによってバッファリングされるデータの量は低減可能であり、端末デバイスの電力消費は低減可能である。スロット境界は、基準位置となるよう、スケジューリングされたサービスに対して比較的に低いレイテンシ要件を有するＤＣＩフォーマットのために設定され、それにより、端末デバイスによってＰＤＣＣＨ指示情報をパースする複雑性の低減は確かにされ得る。データチャネルは、基準位置として毎回スロット境界を使用することによって受信され得、それにより、端末デバイスの実施複雑性は低減され得る。
【００１０】
第１の態様、第１の態様の第１の可能な実施、又は第１の態様の第２の可能な実施を参照して、第３の可能な実施で、方法は、データチャネルの開始シンボルのインデックス及びデータチャネルによって占有されるシンボルの数の少なくとも１つの組を有する上位レイヤシグナリングをネットワークデバイスから受信することを更に含む。
【００１１】
第１の態様の第３の可能な実施を参照して、第４の可能な実施で、方法は、上位レイヤシグナリングが一組の開始シンボルのインデックスＳ１及び占有されるシンボルの数Ｌ１を含む場合に、データチャネルの開始シンボルのインデックスのコンフィグレーション値ＳがＳ１に等しくかつデータチャネルによって占有されるシンボルの数のコンフィグレーション値がＬ１に等しいと決定すること、又は上位レイヤシグナリングが少なくとも二組の開始シンボルのインデックス及び占有されるシンボルの数を含み、ＰＤＣＣＨによって示される開始シンボルのインデックスがＳ２であり、占有されるシンボルの数がＬ２である場合に、データチャネルの開始シンボルのインデックスのコンフィグレーション値ＳがＳ２に等しくかつデータチャネルによって占有されるシンボルの数のコンフィグレーション値ＬがＬ２に等しいと決定することを更に含み、開始シンボルのインデックスＳ２及び占有されるシンボルの数Ｌ２は、少なくとも二組の開始シンボルのインデックス及び占有されるシンボルの数のうちの一組である。
【００１２】
この実施で、開始シンボルのインデックスＳ１及び占有されるシンボルの数Ｌ１の少なくとも一組が上位レイヤシグナリングで設定される場合に、データチャネルの開始シンボルのインデックスのコンフィグレーション値は、上位レイヤシグナリングで設定されたＳ１であり、データチャネルによって占有されるシンボルの数のコンフィグレーション値は、上位レイヤシグナリングで設定されたＬ１であると決定され、ＰＤＣＣＨは、指示情報を含まなくてもよく、それによって、ＰＤＣＣＨのビットオーバーヘッドを低減する。開始シンボルのインデックス及び占有されるシンボルの数の複数組が上位レイヤシグナリングで設定される場合に、データチャネルの開始シンボルのコンフィグレーション値及び占有されるシンボルの数のコンフィグレーション値は、ＰＤＣＣＨによって示される。
【００１３】
第１の態様の第４の可能な実施を参照して、第５の可能な実施で、基準位置は、スロット境界であり、第１指示情報及びＰＤＣＣＨに基づいてネットワークデバイスからデータチャネルを受信すること、又は第１指示情報及びＰＤＣＣＨに基づいてネットワークデバイスへデータチャネルを送信することは、ＰＤＣＣＨの開始シンボルのインデックスＴがデータチャネルの開始シンボルのインデックスのコンフィグレーション値Ｓ以上である場合に、データチャネルの開始シンボルのインデックスの実際の値Ｓ（ｒｅａｌ）がＰＤＣＣＨの開始シンボルのインデックスＴに等しく、かつ、データチャネルによって占有されるシンボルの数の実際の値Ｌ（ｒｅａｌ）がデータチャネルによって占有されるシンボルの数のコンフィグレーション値Ｌ、又はデータチャネルによって占有されるシンボルの数のコンフィグレーション値Ｌと、１つのスロットに含まれるシンボルの数とＳ（ｒｅａｌ）との間の差との間のより小さい値に等しいと決定することと、データチャネルの開始シンボルのインデックスの実際の値及びデータチャネルによって占有されるシンボルの数の実際の値に基づいてネットワークデバイスからデータチャネルを受信すること、又はデータチャネルの開始シンボルのインデックスの実際の値及びデータチャネルによって占有されるシンボルの数の実際の値に基づいてネットワークデバイスへデータチャネルを送信することとを含む。
【００１４】
この実施では、指示されたスロット境界が基準位置として使用される。ＰＤＣＣＨの開始シンボルのインデックスのコンフィグレーション値をデータチャネルの開始シンボルのインデックスのコンフィグレーション値と比較することによって、データチャネルの開始シンボルのインデックスの実際の値及びデータチャネルによって占有されるシンボルの数の実際の値は、正確に決定され得る。従って、データは正確に受信される。ＰＤＣＣＨがデータチャネルの開始シンボルのインデックスのコンフィグレーション値の後に位置する場合に、データチャネルの開始シンボルのインデックスの実際の値は、データチャネルが常にＰＤＣＣＨの後にあることが確かにされ得、それによって端末デバイスによってバッファリングされるデータの量を低減しかつ端末デバイスの電力消費を低減するように、規則に従って決定される。この規則に従って、占有されるシンボルの数の実際の値は、データスケジューリングが１つのスロット内に制限され、スロット境界をまたがないことを確かにすることができ、それによって通信複雑性を低減する。
【００１５】
第１の態様の第４の可能な実施を参照して、第６の可能な実施で、基準位置は、スロット境界であり、第１指示情報及びＰＤＣＣＨに基づいてネットワークデバイスからデータチャネルを受信すること、又は第１指示情報及びＰＤＣＣＨに基づいてネットワークデバイスへデータチャネルを送信することは、ＰＤＣＣＨの開始シンボルのインデックスＴがデータチャネルの開始シンボルのインデックスのコンフィグレーション値Ｓ以下である場合に、データチャネルの開始シンボルのインデックスの実際の値Ｓ（ｒｅａｌ）がデータチャネルの開始シンボルのインデックスのコンフィグレーション値Ｓに等しく、かつ、データチャネルによって占有されるシンボルの数の実際の値Ｌ（ｒｅａｌ）がデータチャネルによって占有されるシンボルの数のコンフィグレーション値Ｌに等しいと決定することと、データチャネルの開始シンボルのインデックスの実際の値及びデータチャネルによって占有されるシンボルの数の実際の値に基づいてネットワークデバイスからデータチャネルを受信すること、又はデータチャネルの開始シンボルのインデックスの実際の値及びデータチャネルによって占有されるシンボルの数の実際の値に基づいてネットワークデバイスへデータチャネルを送信することとを含む。
【００１６】
この実施では、指示されたスロット境界が基準位置として使用される。ＰＤＣＣＨの開始シンボルのインデックスのコンフィグレーション値をデータチャネルの開始シンボルのインデックスのコンフィグレーション値と比較することによって、データチャネルの開始シンボルのインデックスの実際の値及びデータチャネルによって占有されるシンボルの数の実際の値は、正確に決定され得る。従って、データは正確に受信される。ＰＤＣＣＨがデータチャネルの開始シンボルのインデックスのコンフィグレーション値の前に位置する場合に、この規則に従って、データチャネルの開始シンボルのインデックスの実際の値及びデータチャネルによって占有されるシンボルの数の実際の値は、夫々コンフィグレーション値に等しいと決定され、それにより、端末デバイスのパース複雑性は低減され得る。
【００１７】
第１の態様の第４の可能な実施を参照して、第７の可能な実施で、基準位置は、スロット境界であり、第１指示情報及びＰＤＣＣＨに基づいてネットワークデバイスからデータチャネルを受信すること、又は第１指示情報及びＰＤＣＣＨに基づいてネットワークデバイスへデータチャネルを送信することは、ＰＤＣＣＨの開始シンボルのインデックスＴがデータチャネルの開始シンボルのインデックスのコンフィグレーション値Ｓ以下である場合に、データチャネルの開始シンボルのインデックスの実際の値Ｓ（ｒｅａｌ）がＰＤＣＣＨの開始シンボルのインデックスＴに等しく、かつ、データチャネルによって占有されるシンボルの数の実際の値Ｌ（ｒｅａｌ）がデータチャネルによって占有されるシンボルの数のコンフィグレーション値Ｌに等しいと決定することと、データチャネルの開始シンボルのインデックスの実際の値及びデータチャネルによって占有されるシンボルの数の実際の値に基づいてネットワークデバイスからデータチャネルを受信すること、又はデータチャネルの開始シンボルのインデックスの実際の値及びデータチャネルによって占有されるシンボルの数の実際の値に基づいてネットワークデバイスへデータチャネルを送信することとを含む。
【００１８】
この実施では、指示されたスロット境界が基準位置として使用される。ＰＤＣＣＨの開始シンボルのインデックスのコンフィグレーション値をデータチャネルの開始シンボルのインデックスのコンフィグレーション値と比較することによって、データチャネルの開始シンボルのインデックスの実際の値及びデータチャネルによって占有されるシンボルの数の実際の値は、正確に決定され得る。従って、データは正確に受信される。ＰＤＣＣＨがデータチャネルの開始シンボルのインデックスのコンフィグレーション値の前に位置する場合に、データチャネルの開始シンボルのインデックスの実際の値は、データチャネルがＰＤＣＣＨの直後にあるか、あるいは、データチャネル及びＰＤＣＣＨが同じ開始シンボルを有することが確かにされ得、それによってレイテンシを低減するように、規則に従って決定される。この規則に従って、占有されるシンボルの数の実際の値は、データスケジューリングが１つのスロットに制限され、スロット境界をまたがないことを確かにすることができ、それによって通信複雑性を低減する。
【００１９】
第２の態様に従って、通信方法が提供される。方法は、データチャネルの開始シンボルの基準位置を示すために使用される第１指示情報を端末デバイスへ送信することと、物理ダウンリンク制御チャネルＰＤＣＣＨを端末デバイスへ送信することと、端末デバイスへデータチャネルを送信すること、又は端末デバイスからデータチャネルを受信することとを含む。
【００２０】
第２の態様を参照して、第１の可能な実施で、基準位置は、スロット境界、制御リソースセットの開始シンボル、制御リソースセットの終了シンボル、ＰＤＣＣＨの開始シンボル、及びＰＤＣＣＨの終了シンボル、のうちのいずれか１つを含む。
【００２１】
第２の態様又は第２の態様の第１の可能な実施を参照して、第２の可能な実施で、第１指示情報は、端末デバイスに関連するか、あるいは、第１指示情報は、ダウンリンク制御情報のフォーマットに関連する。
【００２２】
第２の態様、第２の態様の第１の可能な実施、又は第２の態様の第２の可能な実施を参照して、第３の可能な実施で、方法は、データチャネルの開始シンボルのインデックス及びデータチャネルによって占有されるシンボルの数の少なくとも１つの組を有する上位レイヤシグナリングを端末デバイスへ送信することを更に含む。
【００２３】
第２の態様の第３の可能な実施を参照して、第４の可能な実施様態で、上位レイヤシグナリングが一組の開始シンボルのインデックスＳ１及び占有されるシンボルの数Ｌ１を含む場合に、データチャネルの開始シンボルのインデックスのコンフィグレーション値ＳはＳ１に等しく、かつ、データチャネルによって占有されるシンボルの数のコンフィグレーション値はＬ１に等しく、あるいは、上位レイヤシグナリングが少なくとも二組の開始シンボルのインデックス及び占有されるシンボルの数を含む場合に、ＰＤＣＣＨによって示されるデータチャネルの開始シンボルのインデックスのコンフィグレーション値Ｓは、Ｓ２に等しく、かつ、占有されるシンボルの数のコンフィグレーション値Ｌは、Ｌ２に等しく、開始シンボルのインデックスＳ２及び占有されるシンボルの数Ｌ２は、少なくとも二組の開始シンボルのインデックス及び占有されるシンボルの数のうちの一組である。
【００２４】
第２の態様の第４の可能な実施を参照して、第５の可能な実施で、基準位置は、スロット境界であり、ＰＤＣＣＨの開始シンボルのインデックスＴがデータチャネルの開始シンボルのインデックスのコンフィグレーション値Ｓ以上である場合に、データチャネルの開始シンボルのインデックスの実際の値Ｓ（ｒｅａｌ）は、ＰＤＣＣＨの開始シンボルのインデックスＴに等しく、かつ、データチャネルによって占有されるシンボルの数の実際の値Ｌ（ｒｅａｌ）は、データチャネルによって占有されるシンボルの数のコンフィグレーション値Ｌ、又はデータチャネルによって占有されるシンボルの数のコンフィグレーション値Ｌと、１つのスロットに含まれるシンボルの数とＳ（ｒｅａｌ）との間の差との間のより小さい値に等しい。
【００２５】
第２の態様の第４の可能な実施を参照して、第６の可能な実施で、基準位置は、スロット境界であり、ＰＤＣＣＨの開始シンボルのインデックスＴがデータチャネルの開始シンボルのインデックスのコンフィグレーション値Ｓ以下である場合に、データチャネルの開始シンボルのインデックスの実際の値Ｓ（ｒｅａｌ）は、データチャネルの開始シンボルのインデックスのコンフィグレーション値Ｓに等しく、かつ、データチャネルによって占有されるシンボルの数の実際の値Ｌ（ｒｅａｌ）は、データチャネルによって占有されるシンボルの数のコンフィグレーション値Ｌに等しい。
【００２６】
第２の態様の第４の可能な実施を参照して、第７の可能な実施で、基準位置は、スロット境界であり、ＰＤＣＣＨの開始シンボルのインデックスＴがデータチャネルの開始シンボルのインデックスのコンフィグレーション値Ｓ以下である場合に、データチャネルの開始シンボルのインデックスの実際の値Ｓ（ｒｅａｌ）は、ＰＤＣＣＨの開始シンボルのインデックスＴに等しく、かつ、データチャネルによって占有されるシンボルの数の実際の値Ｌ（ｒｅａｌ）は、データチャネルによって占有されるシンボルの数のコンフィグレーション値Ｌに等しい。
【００２７】
第３の態様に従って、通信方法が提供される。方法は、データチャネルの開始シンボルのコンフィグレーション値情報及び占有されるシンボルの数のコンフィグレーション値情報をネットワークデバイスから受信することと、データチャネルの開始シンボルのコンフィグレーション値情報及び占有されるシンボルの数のコンフィグレーション値情報に基づいてデータチャネルの開始シンボルの実際の値及び占有されるシンボルの数の実際の値を決定することと、データチャネルの開始シンボルの実際の値及び占有されるシンボルの数の実際の値に基づいてネットワークデバイスからデータチャネルを受信すること、又はデータチャネルの開始シンボルの実際の値及び占有されるシンボルの数の実際の値に基づいてネットワークデバイスへデータチャネルを送信することとを含む。
【００２８】
この態様で、データチャネルの開始シンボルの実際の値及び占有されるシンボルの数の実際の値は正確に決定され、それにより、データチャネルは、正確な時間領域位置で送信又は受信可能である。
【００２９】
第３の態様を参照して、他の可能な実施については、第１の態様の第４の可能な実施乃至第１の態様の第６の可能な実施を参照されたい。詳細はここで再び記載されない。
【００３０】
第４の態様に従って、通信方法が提供される。方法は、データチャネルの開始シンボルのコンフィグレーション値情報及び占有されるシンボルの数のコンフィグレーション値情報を端末デバイスへ送信することと、端末デバイスへデータチャネルを送信すること、又は端末デバイスからデータチャネルを受信することとを含む。
【００３１】
第４の態様を参照して、他の可能な実施については、第２の態様の第４の可能な実施乃至第２の態様の第６の可能な実施を参照されたい。詳細はここで再び記載されない。
【００３２】
第５の態様に従って、通信方法が提供される。方法は、データチャネルの周波数領域リソース位置を示すために使用される周波数領域リソース指示値（ＲＩＶ）をネットワークデバイスから受信することであり、ＲＩＶは、バンド幅部分（ＢＷＰ）内のリソースブロックグループ（ＲＢＧ）の数ＮＢＷＰＲＢＧに関係があり、ＮＢＷＰＲＢＧは、ＢＷＰに含まれるＲＢの数ＮＢＷＰｓｉｚｅ及びＲＢＧサイズＰに関係がある、ことと、ＲＩＶに基づいてデータチャネルの周波数領域リソース位置を決定することと、周波数領域リソースに基づいてネットワークデバイスへデータチャネルを送信すること、又は周波数領域リソースに基づいてネットワークデバイスからデータチャネルを受信することとを含む。
【００３３】
この態様で、データチャネルの周波数領域リソース指示値は、バンド幅部分内のリソースブロックグループの数に関係があり、それにより、周波数領域リソース指示値を送信するビットオーバーヘッドは低減され得る。
【００３４】
第５の態様を参照して、第１の可能な実施で、方法は、ＢＷＰに含まれるＲＢの数の範囲に対応する少なくとも２つのＲＢＧサイズのうちの１つを示すために使用される第１指示情報をネットワークデバイスから受信することを更に含む。
【００３５】
この実施では、ＢＷＰに含まれるＲＢの数の範囲は、少なくとも２つのＲＢＧサイズに対応する。対応するＲＢＧサイズは、ＢＷＰに含まれるＲＢの数の特定の範囲に基づいて決定され得る。
【００３６】
第５の態様又は第５の態様の第１の可能な実施を参照して、第２の可能な実施で、ＢＷＰに含まれるＲＢの数が１から３６の範囲を取る場合に、２つの対応するＲＢＧサイズは４及び８であり、ＢＷＰに含まれるＲＢの数が３７から７２の範囲を取る場合に、２つの対応するＲＢＧサイズは８及び１６であり、ＢＷＰに含まれるＲＢの数が７３から１４４の範囲を取る場合に、２つの対応するＲＢＧサイズは１６及び３２であり、あるいは、ＢＷＰに含まれるＲＢの数が１４５から２７５の範囲を取る場合に、２つの対応するＲＢＧサイズは３２及び３２である。
【００３７】
代替的に、ＢＷＰに含まれるＲＢの数が１から３６の範囲を取る場合に、２つの対応するＲＢＧサイズは２及び４であり、ＢＷＰに含まれるＲＢの数が３７から７２の範囲を取る場合に、２つの対応するＲＢＧサイズは４及び８であり、ＢＷＰに含まれるＲＢの数が７３から１４４の範囲を取る場合に、２つの対応するＲＢＧサイズは８及び１６であり、あるいは、ＢＷＰに含まれるＲＢの数が１４５から２７５の範囲を取る場合に、２つの対応するＲＢＧサイズは１６及び１６である。
【００３８】
第５の態様及び第５の態様の第１の可能な実施を参照して、第３の可能な実施で、Ｐは、ＢＷＰに含まれるＲＢの数の範囲に対応する第１ＲＢＧのサイズである。
【００３９】
この実施で、ＢＷＰに含まれるＲＢの数の範囲は、第１の設定されたＲＢＧサイズに対応することが特定される。例えば、第１ＲＢＧサイズは、ＢＷＰに含まれるＲＢの数の範囲に対応する少なくとも２つのＲＢＧサイズの間のより大きい値又はそれらの中のより大きい値を有するＲＢＧサイズであってよい。従って、周波数領域リソース指示値は小さくされ、周波数領域リソースを示すビットオーバーヘッドは低減される。
【００４０】
第５の態様を参照して、第４の可能な実施で、各ＢＷＰに含まれるＲＢの数の範囲は、１つのＲＢＧサイズに対応する。
【００４１】
この実施で、各ＢＷＰに含まれるＲＢの数の範囲は、１つのＲＢＧサイズに対応する。各ＢＷＰに含まれるＲＢの数の範囲を複数のＲＢサイズに対応しているとセットする必要はなく、各ＢＷＰに含まれるＲＢの数の範囲に対応する１つのＲＢＧサイズは、相対的に大きくセットされ得る。従って、周波数領域リソース指示値は小さくされ、周波数領域リソースを示すビットオーバーヘッドは低減される。その上、ＲＢＧサイズは、ＢＷＰに含まれるＲＢの数の範囲に基づいて直接決定され得、そして、追加の指示情報は不要であり、それによってシグナリングオーバーヘッドを低減する。
【００４２】
第５の態様を参照して、第５の可能な実施で、Ｐは、プロトコルで定義された固定値である。
【００４３】
この実施で、Ｐは、固定値であり、例えば、８、１６、又は３２に固定され、各ＢＷＰに含まれるＲＢの数の範囲と無関係である。従って、実施は簡単である。
【００４４】
第５の態様を参照して、第６の可能な実施で、方法は、ネットワークデバイスからＰを受け取ることを更に含む。
【００４５】
この実施で、Ｐは、ネットワークデバイスによってセットされてよく、ネットワークデバイスは、決定されたＰを端末デバイスに通知する。従って、実施は柔軟性がある。
【００４６】
第５の態様、第５の態様の第１の可能な実施、第５の態様の第２の可能な実施、第５の態様の第３の可能な実施、第５の態様の第４の可能な実施、第５の態様の第５の可能な実施、又は第５の態様の第６の可能な実施を参照して、第７の可能な実施で、ＲＩＶは、次の式：
【数１】
2021518080.tif 000003
を使用することによって決定される。ここで、ＬＲＢＧは、データチャネルの周波数領域によって占有されるＲＢＧの数を表し、ＬＲＢＧ≧１；
【数２】
2021518080.tif 000004
は、ＢＷＰ内のＲＢＧの数を表し；ＮＢＷＰｓｉｚｅは、ＢＷＰに含まれるＲＢの数であり、Ｐは、ＲＢＧサイズ、つまり、１つのＲＢＧに含まれるＲＢの数であり；ＲＢＧＳｔａｒｔは、データチャネルの周波数領域の開始ＲＢＧ番号であり；ＬＲＢＧ≦ＮＢＷＰＲＢＧ−ＲＢＧＳｔａｒｔ。
【００４７】
この実施で、データチャネルの周波数領域リソース指示値は、バンド幅部分内のリソースブロックグループの数に関係があり、それにより、周波数領域リソース指示値を送信することは低減され得る。
【００４８】
第６の態様に従って、通信方法が提供される。方法は、データチャネルの周波数領域リソース位置を示すために使用される周波数領域リソース指示値ＲＩＶを決定することであり、ＲＩＶは、バンド幅部分ＢＷＰ内のリソースブロックグループＲＢＧの数ＮＢＷＰＲＢＧに関係があり、ＮＢＷＰＲＢＧは、ＢＷＰに含まれるＲＢの数ＮＢＷＰｓｉｚｅ及びＲＢＧサイズＰに関係がある、ことと、ＲＩＶを端末デバイスへ送信することと、ＲＩＶによって示される周波数領域リソース位置で端末デバイスへデータチャネルを送信すること、又は周波数領域リソース位置で端末デバイスからデータチャネルを受信することとを含む。
【００４９】
第６の態様を参照して、第１の可能な実施で、方法は、ＢＷＰに含まれるＲＢの数の範囲に対応する少なくとも２つのＲＢＧサイズのうちの１つを示すために使用される第１指示情報を端末デバイスへ送信することを更に含む。
【００５０】
第６の態様又は第６の態様の第１の可能な実施を参照して、第２の可能な実施で、ＢＷＰに含まれるＲＢの数が１から３６の範囲を取る場合に、２つの対応するＲＢＧサイズは４及び８であり、ＢＷＰに含まれるＲＢの数が３７から７２の範囲を取る場合に、２つの対応するＲＢＧサイズは８及び１６であり、ＢＷＰに含まれるＲＢの数が７３から１４４の範囲を取る場合に、２つの対応するＲＢＧサイズは１６及び３２であり、あるいは、ＢＷＰに含まれるＲＢの数が１４５から２７５の範囲を取る場合に、２つの対応するＲＢＧサイズは３２及び３２である。
【００５１】
代替的に、ＢＷＰに含まれるＲＢの数が１から３６の範囲を取る場合に、２つの対応するＲＢＧサイズは２及び４であり、ＢＷＰに含まれるＲＢの数が３７から７２の範囲を取る場合に、２つの対応するＲＢＧサイズは４及び８であり、ＢＷＰに含まれるＲＢの数が７３から１４４の範囲を取る場合に、２つの対応するＲＢＧサイズは８及び１６であり、あるいは、ＢＷＰに含まれるＲＢの数が１４５から２７５の範囲を取る場合に、２つの対応するＲＢＧサイズは１６及び１６である。
【００５２】
第６の態様及び第６の態様の第１の可能な実施を参照して、第３の可能な実施で、Ｐは、ＢＷＰに含まれるＲＢの数の範囲に対応する第１ＲＢＧのサイズである。
【００５３】
第６の態様を参照して、第４の可能な実施で、各ＢＷＰに含まれるＲＢの数の範囲は、１つのＲＢＧサイズに対応する。
【００５４】
第６の態様を参照して、第５の可能な実施で、Ｐは、プロトコルで定義された固定値である。
【００５５】
第６の態様を参照して、第６の可能な実施で、方法は、Ｐを端末デバイスへ送ることを更に含む。
【００５６】
第６の態様、第６の態様の第１の可能な実施、第６の態様の第２の可能な実施、第６の態様の第３の可能な実施、第６の態様の第４の可能な実施、第６の態様の第５の可能な実施、又は第６の態様の第６の可能な実施を参照して、第７の可能な実施で、ＲＩＶは、次の式：
【数３】
2021518080.tif 000005
を使用することによって決定される。ここで、ＬＲＢＧは、データチャネルの周波数領域によって占有されるＲＢＧの数を表し、ＬＲＢＧ≧１；
【数４】
2021518080.tif 000006
は、ＢＷＰ内のＲＢＧの数を表し；ＮＢＷＰｓｉｚｅは、ＢＷＰに含まれるＲＢの数であり、Ｐは、ＲＢＧサイズ、つまり、１つのＲＢＧに含まれるＲＢの数であり；ＲＢＧＳｔａｒｔは、データチャネルの周波数領域の開始ＲＢＧ番号であり；ＬＲＢＧ≦ＮＢＷＰＲＢＧ−ＲＢＧＳｔａｒｔ。
【００５７】
第７の態様に従って、通信装置が提供され、第１の態様、第３の態様、又は第５の態様における方法を実装することができる。例えば、通信装置は、チップ（例えば、ベースバンドチップ若しくは通信チップ）又は端末デバイスであってよい。上記の方法は、ソフトウェア、ハードウェア、又は対応するソフトウェアを実行するハードウェアを使用することによって実装されてよい。
【００５８】
可能な実施で、通信装置の構造は、プロセッサ及びメモリを含む。プロセッサは、装置が上記の通信方法における対応する機能を実行することを支援するよう構成される。メモリは、プロセッサへ結合されており、メモリは、装置の必要なプログラム（命令）及び／又は必要なデータを記憶する。任意に、通信装置は、装置と他のネットワーク用途の間の通信を支援するよう構成された通信インターフェースを更に含んでよい。
【００５９】
他の可能な実施で、通信装置は、上記の方法における対応する動作を実行するユニット又はモジュールを含んでよい。
【００６０】
更なる他の可能な実施では、プロセッサ及びトランシーバ装置が含まれる。プロセッサはトランシーバ装置へ結合されている。プロセッサは、情報を送信及び受信するようトランシーバ装置を制御するために、コンピュータプログラム又は命令を実行するよう構成され、プロセッサがコンピュータプログラム又は命令を実行するとき、プロセッサは更に、上記の方法を実装するよう構成される。トランシーバ装置は、トランシーバ、トランシーバ回路、又は入出力インターフェースであってよい。通信装置がチップである場合に、トランシーバ装置は、トランシーバ回路又は入出力インターフェースである。
【００６１】
通信装置がチップである場合に、送信ユニットは出力ユニット、例えば、出力回路又は通信インターフェースであってよく、受信ユニットは入力ユニット、例えば、入力回路又は通信インターフェースであってよい。通信装置がネットワークデバイスである場合に、送信ユニットは送信器又は送信機械であってよく、受信ユニットは受信器又は受信機械であってよい。
【００６２】
第８の態様に従って、通信装置が提供され、第２の態様、第４の態様、又は第６の態様における方法を実装することができる。例えば、通信装置は、チップ（例えば、ベースバンドチップ若しくは通信チップ）又はネットワークデバイスであってよい。上記の方法は、ソフトウェア、ハードウェア、又は対応するソフトウェアを実行するハードウェアを使用することによって実装されてよい。
【００６３】
可能な実施で、通信装置の構造は、プロセッサ及びメモリを含む。プロセッサは、装置が上記の通信方法における対応する機能を実行することを支援するよう構成される。メモリは、プロセッサへ結合されており、メモリは、装置の必要なプログラム（命令）及び／又は必要なデータを記憶する。任意に、通信装置は、装置と他のネットワーク用途の間の通信を支援するよう構成された通信インターフェースを更に含んでよい。
【００６４】
他の可能な実施で、通信装置は、上記の方法における対応する動作を実行するユニット又はモジュールを含んでよい。
【００６５】
更なる他の可能な実施では、プロセッサ及びトランシーバ装置が含まれる。プロセッサはトランシーバ装置へ結合されている。プロセッサは、情報を送信及び受信するようトランシーバ装置を制御するために、コンピュータプログラム又は命令を実行するよう構成され、プロセッサがコンピュータプログラム又は命令を実行するとき、プロセッサは更に、上記の方法を実装するよう構成される。トランシーバ装置は、トランシーバ、トランシーバ回路、又は入出力インターフェースであってよい。通信装置がチップである場合に、トランシーバ装置は、トランシーバ回路又は入出力インターフェースである。
【００６６】
通信装置がチップである場合に、送信ユニットは出力ユニット、例えば、出力回路又は通信インターフェースであってよく、受信ユニットは入力ユニット、例えば、入力回路又は通信インターフェースであってよい。通信装置が端末デバイスである場合に、受信ユニットは受信器（受信機械とも呼ばれ得る）であってよく、送信ユニットは送信器（送信機械とも呼ばれ得る）であってよい。
【００６７】
第９の態様に従って、コンピュータ可読記憶媒体が提供される。コンピュータ可読記憶媒体は、コンピュータプログラム又は命令を記憶している。コンピュータプログラム又は命令が実行される場合に、上記の態様における方法は実施される。
【００６８】
第１０の態様に従って、命令を含むコンピュータプログラム製品が提供される。命令がコンピュータで実行される場合に、コンピュータは、上記の態様のいずれか１つに従う方法を実行することを可能にされる。
【００６９】
本発明の背景又は実施形態における技術的解決法をより明りょうに記載すべく、以下は、本発明の背景又は実施形態について記載するために必要とされる添付の図面について説明する。
【図面の簡単な説明】
【００７０】
【図１】ＵＲＬＬＣサービスがスロットにおいてスケジューリングされる可能性がある潜在的なオケージョンの概略図である。
【図２】本願に従う通信システムの概略図である。
【図３】本願の実施形態に従う通信方法の略インタラクションフローチャートである。
【図４】本願の実施形態に従う他の通信方法の略インタラクションフローチャートである。
【図５】本願の実施形態に従う更なる他の通信方法の略インタラクションフローチャートである。
【図６】本願の実施形態に従う通信装置の略構造図である。
【図７】本願の実施形態に従う他の通信装置の略構造図である。
【図８】本願の実施形態に従う更なる他の通信装置の略構造図である。
【図９】本願の実施形態に従う更なる他の通信装置の略構造図である。
【図１０】本願の実施形態に従う更なる他の通信装置の略構造図である。
【図１１】本願の実施形態に従う更なる他の通信装置の略構造図である。
【図１２】本願の実施形態に従う端末デバイスの簡略化された略構造図である。
【図１３】本願の実施形態に従うネットワークデバイスの簡略化された略構造図である。
【発明を実施するための形態】
【００７１】
以下は、本発明の実施形態における添付の図面を参照して、本発明の実施形態について説明する。
【００７２】
図２は、本願に従う通信システムの概略図である。通信システムは、少なくとも１つのネットワークデバイス１００（ただ１つのネットワークデバイスのみが示されている）と、少なくとも１つのネットワークデバイス１００へ接続されている１つ以上の端末デバイス２００とを含んでよい。
【００７３】
ネットワークデバイス１００は、端末デバイス２００と通信することができるデバイスであってよい。ネットワークデバイス１００は、無線トランシーバ機能を備えた如何なるデバイスであってもよい、制限なしに、基地局ＮｏｄｅＢ、エボルブドＮｏｄｅＢ（ｅＮｏｄｅＢ）、第５世代（fifth  generation，５Ｇ）通信システムにおける基地局、将来の通信システムにおける基地局又はネットワークデバイス、Ｗｉ−Ｆｉシステムにおけるアクセスノード、無線中継ノード、無線バックホールノード、などを含む。ネットワークデバイス１００は、代替的に、クラウド無線アクセスネットワーク（cloud  radio  access  network，ＣＲＡＮ）シナリオにおける無線コントローラであってもよい。ネットワークデバイス１００は、代替的に、スモールセル、送信ノード（transmission  reference  point，ＴＲＰ）、などであってよい。ネットワークデバイスによって使用される具体的な技術及び具体的なデバイス形態は、本願の実施形態で制限されない。
【００７４】
端末デバイス２００は、無線トランシーバ機能を有しているデバイスであり、地上に配備されてよく、屋内デバイス、屋外デバイス、手持ち式デバイス、ウェアラブルデバイス、又は車載デバイスを含むか、あるいは、水上に、例えば、船上に配備されてよく、あるいは、空中に、例えば、飛行機、風船、又は衛星に配備されてよい。端末デバイスは、携帯電話機（mobile  phone）、タブレットコンピュータ（Pad）、無線トランシーバ機能を備えたコンピュータ、仮想現実（Virtual  Reality，ＶＲ）端末デバイス、拡張現実（Augmented  Reality，ＡＲ）端末デバイス、産業制御（industrial  control）における無線端末、自動運転（self  driving）における無線端末、遠隔医療（remote  medical）における無線端末、スマートグリッド（smart  grid）における無線端末、輸送安全性（transportation  safety）における無線端末、スマートシティ（smart  city）における無線端末、スマートホーム（smart  home）における無線端末、などであってよい。適用シナリオは、本願の実施形態で制限されない。端末デバイスは、ユーザ装置（user  equipment，ＵＥ）、アクセス端末デバイス、ＵＥユニット、移動局、モバイルコンソール、遠隔局、遠隔端末デバイス、モバイルデバイス、端末（terminal）、無線通信デバイス、ＵＥエージェント、ＵＥ装置、などと時々呼ばれることがある。
【００７５】
「システム」及び「ネットワーク」との語は、本発明の実施形態では同義的に使用され得ることが留意されるべきである。「複数の〜」は、２つ以上を意味する。これを鑑み、「複数の〜」は、本発明の実施形態では「少なくとも２つ」とも理解され得る。「及び／又は」との語は、関連するオブジェクトの関連付け関係を示し、３つの関係が存在する可能性があることを表す。例えば、Ａ及び／又はＢは、次の３つの場合：Ａのみが存在、Ａ及びＢの両方が存在、及びＢのみが存在、を表し得る。更に、「／」との文字は、一般に、関連するオブジェクトの間の“論理和”関係を表す。
【００７６】
本願は、通信方法及び通信装置を提供する。データチャネルの開始シンボルの基準位置は、指示情報を使用することによって柔軟に示され、それにより、データチャネルの正確な受信及び送信が確保可能であり、ＰＤＣＣＨの送信オケージョンは制限され得ない。
【００７７】
図３は、本願の実施形態に従う通信方法の略インタラクションフローチャートである。方法は、次のステップを含んでよい。
【００７８】
Ｓ１０１．ネットワークデバイスは、データチャネルの開始シンボルの基準位置を示すために使用される第１指示情報を端末デバイスへ送信し、端末デバイスは、第１指示情報を受信する。
【００７９】
Ｓ１０２．ネットワークデバイスは、ＰＤＣＣＨを端末デバイスへ送信し、端末デバイスは、ＰＤＣＣＨを受信する。
【００８０】
Ｓ１０３ａ．ネットワークデバイスは、第１指示情報及びＰＤＣＣＨに基づいてデータチャネルを端末デバイスへ送信し、端末デバイスは、データチャネルを受信する。
【００８１】
Ｓ１０３ｂ．端末デバイスは、第１指示情報及びＰＤＣＣＨに基づいてデータチャネルをネットワークデバイスへ送信し、ネットワークデバイスは、データチャネルを受信する。
【００８２】
ネットワークデバイスは、ＰＤＣＣＨを送信する。ＰＤＣＣＨは、時間領域リソース指示情報を含み、更には、周波数領域リソース指示情報、通信に使用される変調及び符号化スキーム（modulation  and  coding  scheme，ＭＣＳ）、などを含んでもよい。この実施形態は、主に、時間領域リソースの指示に関係がある。時間領域リソース指示情報は、物理ダウンリンク共有チャネル（physical  downlink  shared  channel，ＰＤＳＣＨ）又は物理アップリンク共有チャネル（physical  uplink  shared  channel，ＰＵＳＣＨ）によって占有される第１時間領域リソースの、第１時間領域リソースセット内のインデックスを示すために使用される。
【００８３】
データの時間領域位置は、ＳＬＩＶを使用することによって示され得る。具体的に、開始位置は、データチャネルの開始シンボルのインデックスであってよく、長さインジケータ値は、データチャネルによって占有されるシンボルの数であってよい。第１時間領域リソースセットは、データチャネルの１つ以上のグループの開始シンボルのインデックス及びデータチャネルによって占有されるシンボルの数を含む。ネットワークデバイスは、端末デバイスのために第１時間領域リソースセットを事前構成するために、上位レイヤシグナリングを送信してよい。本願でのシンボルは、時間領域シンボルとも呼ばれ得る。ここでの時間領域シンボルは、直交周波数分割多重化（orthogonal  frequency  division  multiplexing，ＯＦＤＭ）シンボルであってよく、あるいは、離散周波数変換拡散直交周波数分割多重化（discrete  fourier  transform  spread  OFDM，ＤＦＴＳ−ＯＦＤＭ）シンボルであってよい。
【００８４】
ダウンリンクデータが一例として使用される。最初に、テーブル（ここで、テーブル内の行の数ｎは１６以下である）が、上位レイヤシグナリングを使用することによって構成され、テーブルは、第１時間領域リソースセットを含む。上位レイヤシグナリングは、表１に示されるように、無線リソース制御（radio  resource  control，ＲＲＣ）シグナリング、媒体アクセス制御（medium  access  control，ＭＡＣ）レイヤシグナリング、などであってよい。
【表１】
2021518080.tif 000007
【００８５】
表１中、開始は、データチャネルの時間領域の（例えば、スロット内の）開始シンボルのインデックスの絶対値であり、長さは、データチャネルによって占有されるシンボルの数の絶対値である。開始及び長さは、ＳＬＩＶを求めるために、式を使用することによって計算されてよい。各ＳＬＩＶは、１つのインデックス（index）に対応し得る。
【００８６】
例えば、データチャネルの開始シンボルが基準位置としてスロット境界を使用するとすれば、ＳＬＩＶは、次の式１を使用することによって求められ得る。
（Ｌ−１）≦７の場合に、
ＳＬＩＶ＝１４・（Ｌ−１）＋Ｓ
それ以外の場合に、
ＳＬＩＶ＝１４・（１４−Ｌ＋１）＋（１４−１−Ｓ）
このとき、０＜Ｌ≦１４−Ｓ                                  式（１）
【００８７】
ネットワークデバイスは更に、ＰＤＣＣＨを端末デバイスへ送信する。ＰＤＣＣＨによって示される時間領域リソース指示情報は、表１内のインデックスを含んでよく、インデックスは、使用されるＳＬＩＶを示すために使用され、それにより、端末デバイスは、ＳＬＩＶに基づいて開始及び長さを導出することができる。
【００８８】
表１に示されるように、サイズが限られている時間領域リソーステーブルは、全てのとり得る時間領域リソースの開始及び長さインジケータ値を示すために、上位レイヤシグナリングを使用することによってのみ構成される。目下、テーブルの最大サイズは１６であり、つまり、開始シンボル及び長さの最大１６通りの組み合わせが構成され得る。この場合に、データチャネルの開始シンボルの基準位置が常にスロット（slot）境界であるならば、それは、１つのスロットで、データスケジューリングのための開始シンボル及び長さの最大１６通りの可能な組み合わせがあることと同等である。しかし、ＵＲＬＬＣサービスについては、レイテンシ要件が比較的に高いので、ＰＤＣＣＨはスロット内の如何なるシンボルでも送信される可能性があり、スケジューリングされるデータの長さは比較的に柔軟である。そのため、ＰＤＣＣＨが送信されるとき、ネットワークデバイスによって構成される複数の又は全てのデータチャネルの時間領域リソースは、ＰＤＣＣＨが送信される時間領域リソースより前に位置する。結果として、端末デバイスは、ＰＤＣＣＨを受信する前に、受信された全てのデータをバッファリングする必要があり、その場合に、端末デバイスのバッファは増大し、端末デバイスの電力消費は増える。従って、開始シンボルの基準位置は非常に重要である。
【００８９】
この実施形態において、Ｓ１０１で、ネットワークデバイスは、第１指示情報へ送信し、第１指示情報は、データチャネルの開始シンボルＳの基準位置を示すために使用される。基準位置は、次の：スロット境界、制御リソースセット（control  resource  set，ＣＯＲＥＳＥＴ）の開始シンボル、制御リソースセットの終了シンボル、制御エリアの開始シンボル、制御エリアの終了シンボル、ＰＤＣＣＨの開始シンボル、及びＰＤＣＣＨの終了シンボル、のうちのいずれか１つを含む。ＣＯＲＥＳＥＴは、１つ以上のＰＤＣＣＨを含むリソースの組であり、制御エリアは、ＰＤＣＣＨを含むリソースの組であり、１つ以上のＣＯＲＥＳＥＴを含んでよい。第１指示情報は、上位レイヤシグナリング、例えば、ＲＲＣシグナリング又はＭＡＣシグナリングで運ばれるか、あるいは、物理レイヤ動的シグナリング、例えば、ＰＤＣＣＨで運ばれてよい。
【００９０】
開始シンボルを示す基準位置は、異なる適用シナリオに基づいて選択されてよい。例えば、端末デバイスが緊急事態サービス又は比較的高い伝送信頼性要件を伴ったサービスを実行するようスケジューリングされるならば、開始シンボルの基準位置はＰＤＣＣＨの開始シンボル、ＰＤＣＣＨの終了シンボル、制御リソースセットの開始シンボル、制御リソースセットの終了シンボル、制御エリアの開始シンボル、又は制御エリアの終了シンボルであることが示されてよく、それにより、データチャネルは、制御チャネルの前に現れないようにされ得、端末デバイスによってバッファリングされるデータの量は低減され得、端末デバイスの電力消費は低減され得る。端末デバイスが比較的低いレイテンシ要件を伴ったサービスを実行するようスケジューリングされるならば、スロット境界が基準位置として使用されることが示されてよく、それにより、端末デバイスによってＰＤＣＣＨ指示情報をパースする複雑性の低減が確かにされ得る。データチャネルは、毎回基準位置としてスロット境界を使用することによって受信されてよく、それにより、端末デバイスの実施複雑性は低減され得る。更に、実施において、第１指示情報は、端末デバイスに関連してよい。例えば、異なる端末デバイスごとに、データチャネルの開始シンボルの異なる基準位置が示される。
【００９１】
例えば、ＰＤＣＣＨの開始シンボル、ＰＤＣＣＨの終了シンボル、制御リソースセットの開始シンボル、制御リソースセットの終了シンボル、制御エリアの開始シンボル、又は制御エリアの終了シンボルは、データチャネルの開始シンボルの基準位置となるよう、緊急事態サービス伝送要件又は比較的高い伝送信頼性要件を有している端末デバイスに示され、それにより、データチャネルは、制御チャネルの前に現れないようにされ得、端末デバイスによってバッファリングされるデータの量は低減され得、端末デバイスの電力消費は低減され得る。スロット境界は、基準位置となるよう、比較的低いサービスレイテンシ要件を有している端末デバイスに示され、それにより、端末デバイスによってＰＤＣＣＨ指示情報をパースする複雑性の低減が確かにされ得る。データチャネルは、毎回基準位置としてスロット境界を使用することによって受信されてよく、それにより、端末デバイスの実施複雑性は低減され得る。
【００９２】
他の実施では、第１指示情報は、ダウンリンク制御情報のフォーマットに関連してよい。例えば、異なるＤＣＩフォーマットごとに、開始シンボルの異なる基準位置が設定される。
【００９３】
例えば、リソースはまた、異なるＤＣＩフォーマットごとに異なる基準位置を設定することによって適切に使用され得る。例えば、ＰＤＣＣＨの開始シンボル、ＰＤＣＣＨの終了シンボル、制御リソースセットの開始シンボル、制御リソースセットの終了シンボル、制御エリアの開始シンボル、又は制御エリアの終了シンボルは、開始シンボルの基準位置となるよう、緊急事態サービスをスケジューリングするために使用されるＤＣＩフォーマットに示され、それにより、データチャネルは、制御チャネルの前に現れないようにされ得、端末デバイスによってバッファリングされるデータの量は低減され得、端末デバイスの電力消費は低減され得る。スロット境界は、基準位置となるよう、スケジューリングされたサービスに対して比較的低いレイテンシ要件を有しているＤＣＩフォーマットに示され、それにより、端末デバイスによってＰＤＣＣＨ指示情報をパースする複雑性の低減は確かにされ得る。データチャネルは、毎回基準位置としてスロット境界を使用することによって受信されてよく、それにより、端末デバイスの実施複雑性は低減され得る。緊急事態サービスのＤＣＩフォーマットは、ＵＲＬＬＣサービスをスケジューリングするためのＤＣＩフォーマットであってよい。他の例として、ＰＤＣＣＨの開始シンボル、ＰＤＣＣＨの終了シンボル、制御リソースセットの開始シンボル、制御リソースセットの終了シンボル、制御エリアの開始シンボル、又は制御エリアの終了シンボルは、開始シンボルの基準位置となるよう、コンパクトダウンリンク制御情報（コンパクトＤＣＩ）又はビット数が比較的に少ないＤＣＩフォーマットに示される。更に、上述されたように、時間領域リソースセットは１行であってよく、具体的に言えば、上位レイヤシグナリングは、開始シンボルのインデックスＳ１及び占有されるシンボルの数Ｌ１の組を含む。ＰＤＣＣＨで運ばれる制御情報のビットオーバーヘッドを減らすよう、ＰＤＣＣＨは、時間領域の指示情報を含まなくてよく、端末デバイスは、上位レイヤシグナリングで設定される開始シンボルのインデックスＳ１及び占有されるシンボルの数Ｌ１の組をデフォルトで使用することによって、データチャネルをネットワークデバイスへ送信するか、あるいは、受信されたデータチャネルを復調及び復号する。代替的に、ＰＤＣＣＨは、ＳＬＩＶのインデックスを示すために使用される１ビットを含んでよい。ＰＤＣＣＨが指示を実行するかどうかにかかわらず、時間領域リソースセットがただ一組の開始シンボルのインデックスＳ１及び占有されるシンボルの数Ｌ１しか含まないならば、端末デバイスは、データチャネルの開始シンボルのインデックスのコンフィグレーション値ＳがＳ１に等しく、データチャネルによって占有されるシンボルの数のコンフィグレーション値ＬがＬ１に等しいと決定し得る。
【００９４】
上位レイヤシグナリングが少なくとも二組の開始シンボルのインデックス及び占有されるシンボルの数を含み、ＰＤＣＣＨによって示される開始シンボルのインデックスがＳ２であり、占有されるシンボルの数がＬ２である場合に、端末デバイスは、データチャネルの開始シンボルのインデックスのコンフィグレーション値ＳがＳ２に等しく、データチャネルによって占有されるシンボルの数のコンフィグレーション値ＬがＬ２に等しいと決定してよく、このとき、Ｓ２及びＬ２は、少なくとも二組の開始シンボルのインデックス及び占有されるシンボルの数のうちの１つの組である。
【００９５】
更に、基準位置がスロット境界である場合に、低レイテンシ及び高信頼性サービス要件といったサービスはＰＤＣＣＨに対する比較的に頻繁なブラインド検出を必要とし、ＰＤＣＣＨは多くのオケージョンで送信される可能性があるので、ＰＤＣＣＨの開始シンボル若しくは終了シンボル、ＣＯＲＥＳＥＴの開始シンボル若しくは終了シンボル、又は制御エリアの開始シンボル若しくは終了シンボルは、データチャネルの開始シンボルの前にあってよく、あるいは、データチャネルの終了シンボルの後にあってよい。そのため、データチャネルの開始シンボルのインデックスの実際の値Ｓ（ｒｅａｌ）及びデータチャネルによって占有されるシンボルの数の実際の値Ｌ（ｒｅａｌ）は、ＰＤＣＣＨの開始シンボルのインデックスＴとデータチャネルの開始シンボルのインデックスのコンフィグレーション値Ｓとの間の値関係に基づいて決定され得る。
【００９６】
具体的に、実施において、開始シンボルの基準位置がスロット境界である場合に、ネットワークデバイスは、ＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴがデータチャネルの開始シンボルのインデックスのコンフィグレーション値Ｓ以上であるときに、データチャネルの開始シンボルのインデックスの実際の値Ｓ（ｒｅａｌ）がＰＤＣＣＨの開始シンボルのインデックスＴに等しく、データチャネルによって占有されるシンボルの数の実際の値Ｌ（ｒｅａｌ）がデータチャネルによって占有されるシンボルの数のコンフィグレーション値Ｌ、又はデータチャネルによって占有されるシンボルの数のコンフィグレーション値Ｌと、１つのスロットに含まれるシンボルの数とＳ（ｒｅａｌ）との間の差との間のより小さい値に等しい、と設定してよい。言い換えれば、ネットワークデバイスは、データチャネルの開始シンボルのインデックスのコンフィグレーション値及び占有されるシンボルの数のコンフィグレーション値を示すためにＰＤＣＣＨを送信し、そして、データチャネルの開始シンボルのインデックスの実際の値及び占有されるシンボルの数の実際の値に基づいてデータチャネルを端末デバイスへ送信するか、あるいは、データチャネルの開始シンボルのインデックスの実際の値及び占有されるシンボルの数の実際の値に基づいて端末デバイスからデータチャネルを受信する。
【００９７】
端末デバイスは、開始シンボルの基準位置及びＰＤＣＣＨに基づいて、データチャネルの開始シンボルのインデックスの実際の値Ｓ（ｒｅａｌ）がＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴであると決定し、かつ、データチャネルによって占有されるシンボルの数の実際の値Ｌ（ｒｅａｌ）が、データチャネルによって占有されるシンボルの数のコンフィグレーション値Ｌ、又はデータチャネルによって占有されるシンボルの数のコンフィグレーション値Ｌと、１つのスロットに含まれるシンボルの数とＳ（ｒｅａｌ）との間の差との間のより小さい値であると決定してよい。すなわち、Ｌ（ｒｅａｌ）は、コンフィグレーション値Ｌであってよく、あるいは、Ｓ（ｒｅａｌ）に基づいて、データチャネルによって占有されるシンボルの数のコンフィグレーション値Ｌと、１つのスロットに含まれるシンボルの数とＳ（ｒｅａｌ）との間の差との間のより小さい値と決定されてよい。更には、端末デバイスは、データチャネルの開始シンボルのインデックスの実際の値及びデータチャネルによって占有されるシンボルの数の実際の値に基づいてデータチャネルを復調及び復号する。
【００９８】
ＰＤＣＣＨがデータチャネルの開始シンボルのインデックスのコンフィグレーション値の後に位置する場合に、データチャネルの開始シンボルのインデックスの実際の値は、データチャネルが常にＰＤＣＣＨの後にあることが確かにされ得るように規則に従って決定され、それによって、データデバイスによってバッファリングされるデータの量を低減し、かつ、端末デバイスの電力消費を低減する。この規則に従って、占有されるシンボルの数の実際の値は、データスケジューリングが１つのスロット内に制限され、スロット境界をまたがないことを確かにすることができ、それによって、通信複雑性を低減する。
【００９９】
他の実施では、開始シンボルの基準位置がスロット境界である場合に、ネットワークデバイスは、ＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴがデータチャネルの開始シンボルのインデックスのコンフィグレーション値Ｓ以下であるときに、データチャネルの開始シンボルのインデックスの実際の値Ｓ（ｒｅａｌ）がデータチャネルの開始シンボルのインデックスのコンフィグレーション値Ｓに等しく、データチャネルによって占有されるシンボルの数の実際の値Ｌ（ｒｅａｌ）がデータチャネルによって占有されるシンボルの数のコンフィグレーション値Ｌに等しい、と設定してよい。
【０１００】
端末デバイスは、開始シンボルの基準位置及びＰＤＣＣＨに基づいて、データチャネルの開始シンボルのインデックスの実際の値Ｓ（ｒｅａｌ）がデータチャネルの開始シンボルのインデックスのコンフィグレーション値Ｓに等しく、データチャネルによって占有されるシンボルの数の実際の値Ｌ（ｒｅａｌ）がデータチャネルによって占有されるシンボルの数のコンフィグレーション値Ｌに等しいと決定し、データチャネルの開始シンボルのインデックスの実際の値及びデータチャネルによって占有されるシンボルの数の実際の値に基づいてデータチャネルを復調及び復号してよい。
【０１０１】
ＰＤＣＣＨがデータチャネルの開始シンボルのインデックスのコンフィグレーション値の前に位置する場合に、この規則に従って、データチャネルの開始シンボルのインデックスの実際の値及びデータチャネルによって占有されるシンボルの数の実際の値は夫々コンフィグレーション値に等しいと決定され、それにより、端末デバイスのパース複雑性は低減され得る。
【０１０２】
更なる他の実施では、開始シンボルの基準位置がスロット境界である場合に、ネットワークデバイスは、ＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴがデータチャネルの開始シンボルのインデックスのコンフィグレーション値Ｓ以下であるときに、データチャネルの開始シンボルのインデックスの実際の値Ｓ（ｒｅａｌ）がＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴに等しく、データチャネルによって占有されるシンボルの数の実際の値Ｌ（ｒｅａｌ）がデータチャネルによって占有されるシンボルの数のコンフィグレーション値Ｌに等しい、と設定してよい。
【０１０３】
端末デバイスは、開始シンボルの基準位置及びＰＤＣＣＨに基づいて、データチャネルの開始シンボルのインデックスの実際の値Ｓ（ｒｅａｌ）がＰＤＣＣＨの開始シンボル若のインデックスＴに等しく、データチャネルによって占有されるシンボルの数の実際の値Ｌ（ｒｅａｌ）がデータチャネルによって占有されるシンボルの数のコンフィグレーション値Ｌに等しいと決定し、データチャネルの開始シンボルのインデックスの実際の値及びデータチャネルによって占有されるシンボルの数の実際の値に基づいてデータチャネルを復調及び復号してよい。
【０１０４】
ＰＤＣＣＨがデータチャネルの開始シンボルのインデックスのコンフィグレーション値の前に位置する場合に、データチャネルの開始シンボルのインデックスの実際の値は、データチャネルがＰＤＣＣＨの直ぐ後にあるか、あるいは、データチャネル及びＰＤＣＣＨが同じ開始シンボルを有することが確かにされ得るように規則に従って決定される。この規則に従って、占有されるシンボルの数の実際の値は、データスケジューリングが１つのスロット内に制限され、スロット境界をまたがないことを確かにすることができ、それによって、通信複雑性を低減する。
【０１０５】
上記の実施では、指示されたスロット境界が基準位置として使用される。ＰＤＣＣＨの開始シンボルのインデックスのコンフィグレーション値を、データチャネルの開始シンボルのインデックスのコンフィグレーション値と比較することによって、データチャネルの開始シンボルのインデックスの実際の値及びデータチャネルによって占有されるシンボルの数の実際の値は正確に決定され得る。従って、データチャネルは正確に送信され、あるいは、受信されたデータチャネルは復調及び復号される。
【０１０６】
本願のこの実施形態で提供される通信方法に従って、データチャネルの開始シンボルの基準位置は、指示情報を使用することによって柔軟に示され、それにより、データチャネルの正確な受信及び送信が確かにされ得、ＰＤＣＣＨの送信オケージョンは制限され得ない。
【０１０７】
図４は、本願の実施形態に従う他の通信方法の略フローチャートである。方法は、次のステップを含んでよい。
【０１０８】
Ｓ２０１．ネットワークデバイスは、データチャネルの開始シンボルのコンフィグレーション値情報と、占有されるシンボルの数のコンフィグレーション値情報とを端末デバイスへ送信し、端末デバイスは、コンフィグレーション値情報を受信する。
【０１０９】
Ｓ２０２．端末デバイスは、データチャネルの開始シンボルのコンフィグレーション値情報及び占有されるシンボルの数のコンフィグレーション値情報に基づいて、データチャネルの開始シンボルの実際の値及び占有されるシンボルの数の実際の値を決定する。
【０１１０】
Ｓ２０３ａ．ネットワークデバイスは、データチャネルの開始シンボルの実際の値及び
占有されるシンボルの数の実際の値に基づいてデータチャネルを送信し、端末デバイスは、データチャネルを受信する。
【０１１１】
Ｓ２０３ｂ．端末デバイスは、データチャネルの開始シンボルの実際の値及び占有されるシンボルの数の実際の値に基づいてデータチャネルを送信し、ネットワークデバイスはデータチャネルを受信する。
【０１１２】
この実施形態において、データチャネルの開始シンボルは、基準位置としてスロット境界を使用する。低レイテンシ及び高信頼性サービス要件といったサービスはＰＤＣＣＨに対する比較的に頻繁なブラインド検出を必要とし、ＰＤＣＣＨは多くのオケージョンで送信される可能性があるので、ＰＤＣＣＨの開始シンボル若しくは終了シンボル、ＣＯＲＥＳＥＴの開始シンボル若しくは終了シンボル、又は制御エリアの開始シンボル若しくは終了シンボルは、データチャネルの開始シンボルの前にあってよく、あるいは、データチャネルの終了シンボルの後にあってよい。そのため、データチャネルが制御チャネルの前に存在するという問題が存在する可能性があり、端末デバイスは、ＰＤＣＣＨが受信される前に受信されたデータをバッファリングする必要がある。
【０１１３】
この実施形態において、データチャネルの開始シンボルの実際の値及び占有されるシンボルの数の実際の値は、ＰＤＣＣＨによって示されるデータチャネルの開始シンボルのコンフィグレーション値情報と、占有されるシンボルの数のコンフィグレーション値情報と、開始シンボルの基準位置とに基づいて、決定される必要がある。
【０１１４】
最初に、Ｓ２０１で、ネットワークデバイスは、データチャネルの開始シンボルのコンフィグレーション値情報と、占有されるシンボルの数のコンフィグレーション値情報とを端末デバイスへ送信する。コンフィグレーション値情報は、具体的に、データチャネルの開始シンボルのインデックス及び占有されるシンボルの数を含む。
【０１１５】
具体的に、Ｓ２０１は、データチャネルの開始シンボルのインデックス及び前記データチャネルによって占有されるシンボルの数の少なくとも１つの組を有する上位レイヤシグナリングを端末デバイスへ送信することと、物理ダウンリンク制御チャネルＰＤＣＣＨを端末デバイスへ送信することとを含み、上位レイヤシグナリング及び／又はＰＤＣＣＨは、データチャネルの開始シンボルのインデックスのコンフィグレーション値Ｓ及びデータチャネルによって占有されるシンボルの数のコンフィグレーション値Ｌを示すよう構成される。
【０１１６】
例えば、上位レイヤシグナリングは、開始シンボルのインデックスＳ１及び占有されるシンボルの数Ｌ１の組を含む。ＰＤＣＣＨで運ばれる制御シンボルのビットオーバーヘッドを低減するために、ＰＤＣＣＨは、時間領域の指示情報を含まなくてよく、端末デバイスは、上位レイヤシグナリングで設定される開始シンボルのインデックスＳ１及び占有されるシンボルの数Ｌ１の組をデフォルトで使用することによって、データチャネルをネットワークデバイスへ送信する。代替的に、ＰＤＣＣＨの開始シンボルは、ＳＬＩＶのインデックスを示すために使用される１ビットを含んでよい。ＰＤＣＣＨが指示を実行するかどうかにかかわらず、時間領域リソースセットがただ一組の開始シンボルのインデックスＳ１及び占有されるシンボルの数Ｌ１しか含まないならば、端末デバイスは、データチャネルの開始シンボルのインデックスのコンフィグレーション値ＳがＳ１に等しく、データチャネルによって占有されるシンボルの数のコンフィグレーション値ＬがＬ１に等しいと決定し得る。
【０１１７】
上位レイヤシグナリングが少なくとも二組の開始シンボルのインデックス及び占有されるシンボルの数を含み、ＰＤＣＣＨによって示される開始シンボルのインデックスがＳ２であり、占有されるシンボルの数がＬ２である場合に、端末デバイスは、データチャネルの開始シンボルのインデックスのコンフィグレーション値ＳがＳ２に等しく、データチャネルによって占有されるシンボルの数のコンフィグレーション値ＬがＬ２に等しいと決定してよく、このとき、Ｓ２及びＬ２は、少なくとも二組の開始シンボルのインデックス及び占有されるシンボルの数のうちの１つの組である。
【０１１８】
その後に、Ｓ２０１又はＳ２０２ａの後（具体的に言えば、端末デバイスがネットワークデバイスによって送信されたデータチャネルを受信した後）、端末デバイスは、データチャネルの開始シンボルの実際の値及び占有されるシンボルの数の実際の値を、データチャネルの開始シンボルのコンフィグレーション値情報及び占有されるシンボルの数のコンフィグレーション値情報に基づいて決定する。代替的に、Ｓ２０２ｂの前（具体的に言えば、端末デバイスがデータチャネルをネットワークデバイスへ送信する前）に、端末デバイスは、データチャネルの開始シンボルの実際の値及び占有されるシンボルの数の実際の値を決定してよい。
【０１１９】
具体的に、データチャネルの開始シンボルのインデックスの実際の値Ｓ（ｒｅａｌ）及びデータチャネルによって占有されるシンボルの数の実際の値Ｌ（ｒｅａｌ）は、ＰＤＣＣＨの開始シンボルのインデックスＴとデータチャネルの開始シンボルのインデックスのコンフィグレーション値Ｓとの間の値関係に基づいて、決定されてよい。
【０１２０】
実施において、開始シンボルの基準位置がスロット境界である場合に、ネットワークデバイスは、ＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴがデータチャネルの開始シンボルのインデックスのコンフィグレーション値Ｓ以上であるときに、データチャネルの開始シンボルのインデックスの実際の値Ｓ（ｒｅａｌ）がＰＤＣＣＨの開始シンボルのインデックスＴに等しく、データチャネルによって占有されるシンボルの数の実際の値Ｌ（ｒｅａｌ）がデータチャネルによって占有されるシンボルの数のコンフィグレーション値Ｌ、又はデータチャネルによって占有されるシンボルの数のコンフィグレーション値Ｌと、１つのスロットに含まれるシンボルの数とＳ（ｒｅａｌ）との間の差との間のより小さい値に等しい、と設定してよい。言い換えれば、ネットワークデバイスは、データチャネルの開始シンボルのインデックスのコンフィグレーション値及び占有されるシンボルの数のコンフィグレーション値を示すためにＰＤＣＣＨを送信し、そして、データチャネルの開始シンボルのインデックスの実際の値及び占有されるシンボルの数の実際の値に基づいてデータチャネルを端末デバイスへ送信するか、あるいは、データチャネルの開始シンボルのインデックスの実際の値及び占有されるシンボルの数の実際の値に基づいて端末デバイスからデータチャネルを受信する。
【０１２１】
言い換えると、端末デバイスは、開始シンボルの基準位置及びＰＤＣＣＨに基づいて、データチャネルの開始シンボルのインデックスの実際の値Ｓ（ｒｅａｌ）がＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴであると決定し、かつ、データチャネルによって占有されるシンボルの数の実際の値Ｌ（ｒｅａｌ）が、データチャネルによって占有されるシンボルの数のコンフィグレーション値Ｌ、又はデータチャネルによって占有されるシンボルの数のコンフィグレーション値Ｌと、１つのスロットに含まれるシンボルの数とＳ（ｒｅａｌ）との間の差との間のより小さい値であると決定してよい。すなわち、Ｌ（ｒｅａｌ）は、コンフィグレーション値Ｌであってよく、あるいは、Ｓ（ｒｅａｌ）に基づいて、データチャネルによって占有されるシンボルの数のコンフィグレーション値Ｌと、１つのスロットに含まれるシンボルの数とＳ（ｒｅａｌ）との間の差との間のより小さい値と決定されてよい。更には、端末デバイスは、データチャネルの開始シンボルのインデックスの実際の値及びデータチャネルによって占有されるシンボルの数の実際の値に基づいてデータチャネルを復調及び復号する。
【０１２２】
他の実施では、開始シンボルの基準位置がスロット境界である場合に、ネットワークデバイスは、ＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴがデータチャネルの開始シンボルのインデックスのコンフィグレーション値Ｓ以下であるときに、データチャネルの開始シンボルのインデックスの実際の値Ｓ（ｒｅａｌ）がデータチャネルの開始シンボルのインデックスのコンフィグレーション値Ｓに等しく、データチャネルによって占有されるシンボルの数の実際の値Ｌ（ｒｅａｌ）がデータチャネルによって占有されるシンボルの数のコンフィグレーション値Ｌに等しい、と設定してよい。
【０１２３】
端末デバイスは、開始シンボルの基準位置及びＰＤＣＣＨに基づいて、データチャネルの開始シンボルのインデックスの実際の値Ｓ（ｒｅａｌ）がデータチャネルの開始シンボルのインデックスのコンフィグレーション値Ｓに等しく、データチャネルによって占有されるシンボルの数の実際の値Ｌ（ｒｅａｌ）がデータチャネルによって占有されるシンボルの数のコンフィグレーション値Ｌに等しいと決定し、データチャネルの開始シンボルのインデックスの実際の値及びデータチャネルによって占有されるシンボルの数の実際の値に基づいてデータチャネルを復調及び復号してよい。
【０１２４】
更なる他の実施では、開始シンボルの基準位置がスロット境界である場合に、ネットワークデバイスは、ＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴがデータチャネルの開始シンボルのインデックスのコンフィグレーション値Ｓ以下であるときに、データチャネルの開始シンボルのインデックスの実際の値Ｓ（ｒｅａｌ）がＰＤＣＣＨの開始シンボル若しくは終了シンボル、ＣＯＲＥＳＥＴの開始シンボル若しくは終了シンボル、又は制御エリアの開始シンボル若しくは終了シンボルのインデックスＴに等しく、データチャネルによって占有されるシンボルの数の実際の値Ｌ（ｒｅａｌ）がデータチャネルによって占有されるシンボルの数のコンフィグレーション値Ｌに等しい、と設定してよい。
【０１２５】
この場合に、端末デバイスは、開始シンボルの基準位置及びＰＤＣＣＨに基づいて、データチャネルの開始シンボルのインデックスの実際の値Ｓ（ｒｅａｌ）がＰＤＣＣＨの開始シンボル若のインデックスＴに等しく、データチャネルによって占有されるシンボルの数の実際の値Ｌ（ｒｅａｌ）がデータチャネルによって占有されるシンボルの数のコンフィグレーション値Ｌに等しいと決定し、データチャネルの開始シンボルのインデックスの実際の値及びデータチャネルによって占有されるシンボルの数の実際の値に基づいてデータチャネルを復調及び復号してよい。
【０１２６】
上記の実施では、指示されたスロット境界が基準位置として使用される。ＰＤＣＣＨの開始シンボルのインデックスのコンフィグレーション値を、データチャネルの開始シンボルのインデックスのコンフィグレーション値と比較することによって、データチャネルの開始シンボルのインデックスの実際の値及びデータチャネルによって占有されるシンボルの数の実際の値は正確に決定され得る。従って、データチャネルは正確に送信され、あるいは、受信されたデータチャネルは復調及び復号される。
【０１２７】
本願のこの実施形態で提供される通信方法に従って、ネットワークデバイスは、開始シンボルの基準位置、開始シンボルのコンフィグレーション値情報、及び占有されるシンボルの数のコンフィグレーション値情報を送信し、それにより、端末デバイスは、データチャネルの開始シンボルの実際の値及び占有されるシンボルの数の実際の値を正確に決定することができる。このようにして、データチャネルは、正確な時間領域位置で送信又は受信され得る。
【０１２８】
ＮＲにおいて、周波数領域での連続するＲＢの開始リソースブロック（ＲＢｓｔａｒｔ）及び数（ＬＲＢｓ）は、リソース指示値（resource  indication  value，ＲＩＶ）を使用することによって示される。ＲＩＶは、ダウンリンクバンド幅部分（bandwidth  part，ＢＷＰ）に含まれるリソースブロック（resource  block，ＲＢ）の数ＮＢＷＰｓｉｚｅ、ＬＲＢｓ、及びＲＢｓｔａｒｔに関係がある。周波数領域リソースがＲＩＶを使用することによって示されるならば、必要とされるビットの数は
【数５】
2021518080.tif 000008
である、ＢＷＰバンド幅が１００ＲＢであるならば、１１ビットが必要とされる。この場合に、比較的に多数のビットが必要とされる。
【０１２９】
比較的に高い信頼性要件を有しているＵＲＬＬＣサービスについては、ＰＤＣＣＨの信頼性も確かにされる必要がある。制御チャネルの信頼性を改善するために、１つの方法は、ＰＤＣＣＨのビットの数を減らすことである。そのため、ＰＤＣＣＨの圧縮可能なインジケータフィールド、例えば、周波数領域インジケータフィールドは、圧縮される必要がある。
【０１３０】
従って、本願の実施形態は、更なる多の通信方法及び通信装置を更に適用する。データチャネルの周波数領域リソース指示値は、バンド幅部分内のリソースブロックグループの数に関係があるよう有効にされ、それにより、周波数領域リソース指示値を送信するビットオーバーヘッドは低減可能であり、それによって、ＰＤＣＣの信頼性を改善する。
【０１３１】
図５は、本願の実施形態に従う他の通信方法の略フローチャートである。方法は、次のステップを含んでよい。
【０１３２】
Ｓ３０１．ネットワークデバイスは、データチャネルの周波数領域ＲＩＶを決定し、ＲＩＶは、データチャネルの周波数領域リソース位置を示すために使用され、ＲＩＶは、バンド幅部分ＢＷＰ内のリソースブロックグループ（resource  block  group）の数ＮＢＷＰＲＢＧに関係があり、ＮＢＷＰＲＢＧは、ＢＷＰに含まれるＲＢの数ＮＢＷＰｓｉｚｅ及びＲＢＧサイズＰに関係がある。
【０１３３】
Ｓ３０２．ネットワークデバイスは、周波数領域ＲＩＶを端末デバイスへ送信し、端末デバイスは、周波数領域ＲＩＶを受信する。
【０１３４】
Ｓ３０３ａ．ネットワークデバイスは、周波数領域ＲＩＶによって示される周波数領域リソース位置でデータチャネルを端末デバイスへ送信し、端末デバイスは、周波数領域リソース位置でデータチャネルを受信する。
【０１３５】
Ｓ３０３ｂ．端末デバイスは、周波数領域ＲＩＶによって示される周波数領域リソース位置でデータチャネルをネットワークデバイスへ送信し、ネットワークデバイスは、周波数領域リソース位置でデータチャネルを受信する。
【０１３６】
ネットワークデバイスは、ＰＤＣＣＨを端末デバイスへ送信する。ＰＤＣＣＨは、周波数領域リソースの指示情報を含み、更には、時間領域リソースの指示情報、ＭＣＳ、などを更に含んでよい。この実施形態は、主に、周波数領域リソースの指示に関係がある。
【０１３７】
ネットワークデバイスは、最初に、周波数領域ＲＩＶを決定する。この実施形態において、ＲＩＶは、ＢＷＰ内のＲＢＧの数ＮＢＷＰＲＢＧに関係があり、ＮＢＷＰＲＢＧは、ＢＷＰに含まれるＲＢの数ＮＢＷＰｓｉｚｅ及びＲＢＧのサイズＰに関係がある。すなわち、リソース割り当ては、ＲＢＧの粒度で実行される。ＲＢＧのサイズは、１つのＲＢＧに含まれるＲＢの数であってよい。
【０１３８】
具体的に、周波数領域ＲＩＶは、次の式２を使用することによって決定されてよい。
【数６】
2021518080.tif 000009
ここで、ＬＲＢＧは、データチャネルの周波数領域によって占有されるＲＢＧの数を表し、ＬＲＢＧ≧１；
【数７】
2021518080.tif 000010
は、ＢＷＰ内のＲＢＧの数を表し；ＮＢＷＰｓｉｚｅは、ＢＷＰに含まれるＲＢの数であり、Ｐは、ＲＢＧサイズ、つまり、１つのＲＢＧに含まれるＲＢの数であり；ＲＢＧＳｔａｒｔは、データチャネルの周波数領域の開始ＲＢＧ番号であり；ＬＲＢＧ≦ＮＢＷＰＲＢＧ−ＲＢＧＳｔａｒｔ。
【０１３９】
ＢＷＰに含まれるＲＢの数が端末デバイスに知られている値であるならば、ＮＢＷＰＲＢＧは、ＲＢＧサイズに主に関係がある。従って、ＲＩＶも、ＲＢＧサイズに主に関係がある。
【０１４０】
以下は、ＲＢＧサイズを決定する方法について詳細に説明する。
【０１４１】
実施において、方法は、ＢＷＰに含まれるＲＢの数の範囲に対応する少なくとも２つのＲＢＧサイズのうちの１つを示すために使用される第１指示情報を端末デバイスへ送信することを更に含む。
【０１４２】
例えば、ネットワークデバイスは、表２に基づいてＲＢＧのサイズＰを決定し、Ｐの値を示すために第１指示情報を端末デバイスへ送信する。
【表２】
2021518080.tif 000011
【０１４３】
表２に示されるように、各ＢＷＰに含まれるＲＢの数の範囲は、ＲＢＧサイズの２つの設定に対応する。具体的なスケジューリング中に、ネットワークデバイスは、ＢＷＰに含まれるＲＢの数の範囲に基づいて、ＢＷＰに含まれるＲＢの数の範囲に対応するＲＢサイズの２つの設定を決定し、それから、スケジューリングポリシーに従って、スケジューリングのために使用されるべき設定されたＲＢＧサイズを決定し、スケジューリングのために使用される特定のＲＢＧサイズを示すために指示情報を端末デバイスへ送信する。例えば、ＢＷＰに含まれるＲＢの数が１００ＲＢであるならば、ＢＷＰに含まれるＲＢの数は７３ＲＢから１４４ＲＢの範囲内にあると決定される。次いで、ＵＲＬＬＣサービスはスケジューリングされ、周波数領域リソースが指示する必要があるビットの数は比較的少数しか必要とされないので、比較的に大きいＲＢＧが選択されてよく、すなわち、ＲＢＧ＝１６が選択される。次いで、ネットワークデバイスは、端末デバイスによって使用されるＲＢＧサイズが設定２であることを示すために指示情報を送信する。端末デバイスは、ＢＷＰに含まれるＲＢの数と、指示されたＲＢＧサイズが設定２であることとに基づいて、ＲＢＧサイズが１６ＲＢであると決定し得る。ネットワークデバイスは、第１指示情報を端末デバイスへ送信してよく、このとき、指示情報は、Ｐの値を示すよう少なくとも１つのビットを含む。
【０１４４】
表２中の対応は、プロトコルで指定されてよく、あるいは、システム情報又は上位レイヤシグナリングを使用することによって端末デバイスのために構成されてよい。
【０１４５】
更に、他の実施では、周波数領域リソース指示によって示されるビットの数を更に減らすために、ＲＢＧサイズは、より大きい値にセットされてよい。例えば、表３は、ＢＷＰに含まれるＲＢの数の範囲とＲＢＧサイズとの間の他の対応の例を示す。表３中のＲＢＧサイズは、表２中のＲＢＧサイズの設定と比較して大きくなっている。
【表３】
2021518080.tif 000012
【０１４６】
表３中の対応は、プロトコルで指定されてよく、あるいは、システム情報又は上位レイヤシグナリングを使用することによって端末デバイスのために構成されてよい。
【０１４７】
上記の２つの実施で、ＲＢＧサイズは設定可能である。より大きいＲＢＧを設定することは、ＰＤＣＣＨ（主に、周波数領域リソースインジケータ）のビットの数を有効に減らすことができ、それによって、ＰＤＣＣＨ伝送信頼性を改善する。更には、サービスパケットが比較的に小さい場合に、比較的に小さいＲＢＧが、周波数領域リソースの無駄を減らすよう、設定されてよい。
【０１４８】
更なる他の実施では、Ｐは、ＢＷＰに含まれるＲＢの数の範囲に対応する第１ＲＢＧのサイズである。第１ＲＢＧのサイズは、プロトコルに従って定義されてよい。
【０１４９】
例えば、データ伝送をスケジューリングする場合に、ネットワークデバイスは、表２又は表３における設定１又は設定２でのＲＢＧサイズを常に使用する。この場合に、ネットワークデバイスは、指示情報を端末デバイスへ送信する必要がなくてもよく、端末デバイスは、ＢＷＰに含まれるＲＢの数の範囲に基づいてＲＢＧサイズを決定し得る。例えば、ネットワークデバイスが表２中の設定２でのＲＢサイズを使用し、ＢＷＰが１００ＲＢを含むならば、ＢＷＰに含まれるＲＢの数は７３ＲＢから１４４ＲＢの範囲内にあると決定され、ＲＢＧサイズは１６ＲＢであると決定され得る。
【０１５０】
更なる他の実施では、各ＢＷＰに含まれるＲＢの数の範囲は、１つのＲＢＧサイズに対応する。
【０１５１】
表４に示されるように、各ＢＷＰに含まれるＲＢの数の範囲は、１つのＲＢＧサイズに対応する。
【表４】
2021518080.tif 000013
【０１５２】
表４中の対応は、上位レイヤシグナリングを使用することによって構成されてよく、あるいは、プロトコルを使用することによって指定されてよい。
【０１５３】
各ＢＷＰに含まれるＲＢの数の範囲は、１つのＲＢＧサイズに対応する。各ＢＷＰに含まれるＲＢの数の範囲を複数のＲＢＧサイズに対応するようセットする必要はなく、各ＢＷＰに含まれるＲＢの数の範囲に対応する１つのＲＢＧサイズは、比較的に大きくセットされ得る。従って、周波数領域リソース指示値は小さくされ、周波数領域リソースを示すビットオーバーヘッドは低減される。その上、ＲＢＧサイズは、ＢＷＰに含まれるＲＢの数の範囲に基づいて直接決定され得、追加の指示情報は不要であり、シグナリングオーバーヘッドを低減する。
【０１５４】
更には、周波数領域リソースによって示されるビットの数を更に減らすために、ＲＢＧサイズは、わずかにより大きく構成されてよい。このようにして、ＰＤＣＣＨのビットの数は有効に低減され得、それによって、ＰＤＣＣＨ伝送信頼性を改善する。更には、各ＢＷＰに含まれるＲＢの数の範囲に対応するＲＢＧサイズは、前もってプロトコルで指定される。ネットワークデバイスは、使用されるＲＢサイズを端末デバイスに更に通知する必要がなくてよく、端末デバイスは、ＢＷＰに含まれるＲＢの数に基づいて、対応するＲＢＧサイズを決定することができ、それによって、シグナリングオーバーヘッドを低減する。
【０１５５】
更なる他の実施では、Ｐは、プロトコルで定義された固定値であり、例えば、８、１６、又は３２に固定され、各ＢＷＰに含まれるＲＢの数の範囲と無関係である。従って、実施は簡単である。プロトコルは、第３世代パートナーシッププロジェクト（3rd  generation  partnership  project，３ＧＰＰ）プロトコルであってよい。
【０１５６】
例えば、プロトコルは、Ｐ＝１６と指定する。上記のリソース割り当て方法を使用し、かつ、ＲＢＧを比較的に大きいサイズに固定することによって、ＰＤＣＣＨのビット数は有効に低減され得、それによって、ＰＤＣＣＨの信頼性を改善する。更には、ＲＢＧのサイズは通知不要であり、それにより、シグナリングオーバーヘッドは低減され得る。更には、Ｐは、代替的に、８、３２、などであってよい。
【０１５７】
更なる他の実施では、方法は、Ｐを端末デバイスへ送ることを更に含む。
【０１５８】
ネットワークデバイスはＲＢＧサイズＰを決定する。Ｐは、ネットワークデバイスによって選択されてよい。コンフィグレーション情報を端末デバイスへ送信することによって、端末デバイスは、サイズＰを通知される。
【０１５９】
上記のリソース割り当て方法に従って、ＲＢＧサイズは設定可能である。従って、大きいＲＢＧが、ＰＤＣＣＨのビットの数を有効に減らすよう設定され、それによって、ＰＤＣＣＨの信頼性を改善する。更には、サービスパケットが比較的に小さい場合には、小さいＲＢＧが、リソースの無駄を減らすよう設定されてよい。
【０１６０】
本願のこの実施形態で提供される通信方法に従って、データチャネルの周波数領域リソース指示値は、バンド幅部分におけるリソースブロックグループの数に関係があるよう有効にされ、それにより、周波数領域リソース指示値を送信するビットオーバーヘッドは低減され得、それによって、ＰＤＣＣＨの信頼性を改善する。
【０１６１】
本発明の実施形態における方法は、先に詳細に記載されており、本発明の実施形態における装置は、以下で与えられる。
【０１６２】
上記の実施形態における通信方法のそれと同じ概念に基づいて、図６に示されるように、本願の実施形態は、通信装置１０００を更に提供する。通信装置は、図３に示される通信方法に適用されてよい。通信装置１０００は、図２に示される端末デバイス２００であってよく、あるいは、端末デバイス２００に適用されるコンポーネント（例えば、チップ）であってよい。通信装置１０００は、受信ユニット１１及び送信ユニット１２を含み、更には、処理ユニット１３を含んでよい。
【０１６３】
受信ユニット１１は、データチャネルの開始シンボルの基準位置を示すために使用される第１指示情報をネットワークデバイスから受信するよう構成される。
【０１６４】
受信ユニット１１は、物理ダウンリンク制御チャネルＰＤＣＣＨをネットワークデバイスから受信するよう更に構成される。
【０１６５】
送信ユニット１２は、第１指示情報及びＰＤＣＣＨに基づいてネットワークデバイスからデータチャネルを受信するよう構成される。
【０１６６】
受信ユニット１１は、第１指示情報及びＰＤＣＣＨに基づいてネットワークデバイスへデータチャネルを送信するよう更に構成される。
【０１６７】
実施において、受信ユニット１１は、データチャネルの開始シンボルのインデックス及びデータチャネルによって占有されるシンボルの数の少なくとも１つの組を有する上位レイヤシグナリングをネットワークデバイスから受信するよう更に構成される。
【０１６８】
他の実施では、処理ユニット１３は、上位レイヤシグナリングが一組の開始シンボルのインデックスＳ１及び占有されるシンボルの数Ｌ１を含む場合に、データチャネルの開始シンボルのインデックスのコンフィグレーション値ＳがＳ１に等しくかつデータチャネルによって占有されるシンボルの数のコンフィグレーション値がＬ１に等しいと決定し、あるいは、上位レイヤシグナリングが少なくとも二組の開始シンボルのインデックス及び占有されるシンボルの数を含み、ＰＤＣＣＨによって示される開始シンボルのインデックスがＳ２であり、占有されるシンボルの数がＬ２である場合に、データチャネルの開始シンボルのインデックスのコンフィグレーション値ＳがＳ２に等しくかつデータチャネルによって占有されるシンボルの数のコンフィグレーション値ＬがＬ２に等しいと決定するよう更に構成され、開始シンボルのインデックスＳ２及び占有されるシンボルの数Ｌ２は、少なくとも二組の開始シンボルのインデックス及び占有されるシンボルの数のうちの一組である。
【０１６９】
更なる他の実施では、基準位置はスロット境界であり、処理ユニット１３は、ＰＤＣＣＨの開始シンボルのインデックスＴがデータチャネルの開始シンボルのインデックスのコンフィグレーション値Ｓ以上である場合に、データチャネルの開始シンボルのインデックスの実際の値Ｓ（ｒｅａｌ）がＰＤＣＣＨの開始シンボルのインデックスＴに等しく、かつ、データチャネルによって占有されるシンボルの数の実際の値Ｌ（ｒｅａｌ）がデータチャネルによって占有されるシンボルの数のコンフィグレーション値Ｌ、又はデータチャネルによって占有されるシンボルの数のコンフィグレーション値Ｌと、１つのスロットに含まれるシンボルの数とＳ（ｒｅａｌ）との間の差との間のより小さい値に等しいと決定し、データチャネルの開始シンボルのインデックスの実際の値及びデータチャネルによって占有されるシンボルの数の実際の値に基づいてデータチャネルを復調及び復号するよう更に構成される。
【０１７０】
更なる他の実施では、基準位置はスロット境界であり、処理ユニット１３は、ＰＤＣＣＨの開始シンボルのインデックスＴがデータチャネルの開始シンボルのインデックスのコンフィグレーション値Ｓ以下である場合に、データチャネルの開始シンボルのインデックスの実際の値Ｓ（ｒｅａｌ）がデータチャネルの開始シンボルのインデックスのコンフィグレーション値Ｓに等しく、かつ、データチャネルによって占有されるシンボルの数の実際の値Ｌ（ｒｅａｌ）がデータチャネルによって占有されるシンボルの数のコンフィグレーション値Ｌに等しいと決定し、データチャネルの開始シンボルのインデックスの実際の値及びデータチャネルによって占有されるシンボルの数の実際の値に基づいてデータチャネルを復調及び復号するよう更に構成される。
【０１７１】
更なる他の実施では、基準位置はスロット境界であり、処理ユニット１３は、ＰＤＣＣＨの開始シンボルのインデックスＴがデータチャネルの開始シンボルのインデックスのコンフィグレーション値Ｓ以下である場合に、データチャネルの開始シンボルのインデックスの実際の値Ｓ（ｒｅａｌ）がＰＤＣＣＨの開始シンボルのインデックスＴに等しく、かつ、データチャネルによって占有されるシンボルの数の実際の値Ｌ（ｒｅａｌ）がデータチャネルによって占有されるシンボルの数のコンフィグレーション値Ｌに等しいと決定し、データチャネルの開始シンボルのインデックスの実際の値及びデータチャネルによって占有されるシンボルの数の実際の値に基づいてデータチャネルを復調及び復号するよう更に構成される。
【０１７２】
受信ユニット１１、送信ユニット１２、及び処理ユニット１３のより詳細な記載については、図３に示される方法における端末デバイスの関連記載を参照されたく、詳細はここで再び記載されない。
【０１７３】
上記の実施形態における通信方法のそれと同じ概念に基づいて、図７に示されるように、本願の実施形態は、通信装置２０００を更に提供する。通信装置は、図３に示される通信方法に適用されてよい。通信装置２０００は、図２に示されるネットワークデバイス１００であってよく、あるいは、ネットワークデバイス１００に適用されるコンポーネント（例えば、チップ）であってよい。通信装置２０００は、送信ユニット２１及び受信ユニット２２を含む。
【０１７４】
送信ユニット２１は、データチャネルの開始シンボルの基準位置を示すために使用される第１指示情報を端末デバイスへ送信するよう構成される。
【０１７５】
送信ユニット２１は、物理ダウンリンク制御チャネルＰＤＣＣＨを端末デバイスへ送信するよう更に構成される。
【０１７６】
送信ユニット２１は、端末デバイスへデータチャネルを送信するよう構成される。
【０１７７】
受信ユニット２２は、端末デバイスからデータチャネルを受信するよう構成される。
【０１７８】
実施において、送信ユニット２１は、データチャネルの開始シンボルのインデックス及びデータチャネルによって占有されるシンボルの数の少なくとも１つの組を有する上位レイヤシグナリングを端末デバイスへ送信するよう更に構成される。
【０１７９】
送信ユニット２１及び受信ユニット２２のより詳細な記載については、図３に示される方法におけるネットワークデバイスの関連記載を参照されたく、詳細はここで再び記載されない。
【０１８０】
上記の実施形態における通信方法のそれと同じ概念に基づいて、図８に示されるように、本願の実施形態は、通信装置３０００を更に提供する。通信装置は、図４に示される通信方法に適用されてよい。通信装置３０００は、図２に示される端末デバイス２００であってよく、あるいは、端末デバイス２００に適用されるコンポーネント（例えば、チップ）であってよい。通信装置３０００は、受信ユニット３１、処理ユニット３２、及び送信ユニット３３を含む。
【０１８１】
受信ユニット３１は、データチャネルの開始シンボルのコンフィグレーション値情報及び占有されるシンボルの数のコンフィグレーション値情報をネットワークデバイスから受信するよう構成される。
【０１８２】
処理ユニット３２は、データチャネルの開始シンボルのコンフィグレーション値情報及び占有されるシンボルの数のコンフィグレーション値情報に基づいてデータチャネルの開始シンボルの実際の値及び占有されるシンボルの数の実際の値を決定するよう構成される。送信ユニット３３は、データチャネルの開始シンボルの実際の値及び占有されるシンボルの数の実際の値に基づいてネットワークデバイスへデータチャネルを送信するよう構成される。
【０１８３】
受信ユニット３１は、データチャネルの開始シンボルの実際の値及び占有されるシンボルの数の実際の値に基づいてネットワークデバイスからデータチャネルを受信するよう更に構成される。
【０１８４】
受信ユニット３１、処理ユニット３２、及び送信ユニット３３のより詳細な記載については、図４に示される方法における端末デバイスの関連記載を参照されたく、詳細はここで再び記載されない。
【０１８５】
上記の実施形態における通信方法のそれと同じ概念に基づいて、図９に示されるように、本願の実施形態は、通信装置４０００を更に提供する。通信装置は、図４に示される通信方法に適用されてよい。通信装置４０００は、図２に示されるネットワークデバイス１００であってよく、あるいは、ネットワークデバイス１００に適用されるコンポーネント（例えば、チップ）であってよい。通信装置４０００は、送信ユニット４１及び受信ユニット４２を含む。送信ユニット４１は、データチャネルの開始シンボルのコンフィグレーション値情報及び占有されるシンボルの数のコンフィグレーション値情報を端末デバイスへ送信するよう構成される。
【０１８６】
送信ユニット４１は、端末デバイスへデータチャネルを送信するよう更に構成される。
【０１８７】
受信ユニット４２は、端末デバイスからデータチャネルを受信するよう構成される。
【０１８８】
実施において、送信ユニット４１は、データチャネルの開始シンボルのインデックス及びデータチャネルによって占有されるシンボルの数の少なくとも１つの組を有する上位レイヤシグナリングを端末デバイスへ送信するよう構成され、送信ユニット４１は、物理ダウンリンク制御チャネルＰＤＣＣＨを端末デバイスへ送信するよう更に構成され、上位レイヤシグナリング及び／又はＰＤＣＣＨは、データチャネルの開始シンボルのインデックスのコンフィグレーション値Ｓ及びデータチャネルによって占有されるシンボルの数のコンフィグレーション値Ｌを示すよう構成される。
【０１８９】
送信ユニット４１及び受信ユニット４２のより詳細な記載については、図４に示される方法におけるネットワークデバイスの関連記載を参照されたく、詳細はここで再び記載されない。
【０１９０】
上記の実施形態における通信方法のそれと同じ概念に基づいて、図１０に示されるように、本願の実施形態は、通信装置５０００を更に提供する。通信装置は、図５に示される通信方法に適用されてよい。通信装置５０００は、図２に示される端末デバイス２００であってよく、あるいは、端末デバイス２００に適用されるコンポーネント（例えば、チップ）であってよい。通信装置５０００は、受信ユニット５１、処理ユニット５２、及び送信ユニット５３を含む。
【０１９１】
受信ユニット５１は、データチャネルの周波数領域リソース位置を示すために使用される周波数領域リソース指示値ＲＩＶをネットワークデバイスから受信するよう構成され、ＲＩＶは、バンド幅部分ＢＷＰ内のリソースブロックグループＲＢＧの数ＮＢＷＰＲＢＧに関係があり、ＮＢＷＰＲＢＧは、ＢＷＰに含まれるＲＢの数ＮＢＷＰｓｉｚｅ及びＲＢＧサイズＰに関係がある。
【０１９２】
処理ユニット５２は、ＲＩＶに基づいてデータチャネルの周波数領域リソース位置を決定するよう構成される。
【０１９３】
受信ユニット５１は、周波数領域リソースに基づいてネットワークデバイスからデータチャネルを受信するよう構成される。
【０１９４】
送信ユニット５３は、周波数領域リソースに基づいてネットワークデバイスへデータチャネルを送信するよう構成される。
【０１９５】
実施において、受信ユニット５１は、ＢＷＰに含まれるＲＢの数の範囲に対応する少なくとも２つのＲＢＧサイズのうちの１つを示すために使用される第１指示情報をネットワークデバイスから受信するよう更に構成される。
【０１９６】
他の実施では、受信ユニット５１は、Ｐをネットワークデバイスから受け取るよう更に構成される。
【０１９７】
更なる他の実施では、処理ユニット５２は、次の式を使用することによってＲＩＶを決定するよう構成される。
【数８】
2021518080.tif 000014
ここで、ＬＲＢＧは、データチャネルの周波数領域によって占有されるＲＢＧの数を表し、ＬＲＢＧ≧１；
【数９】
2021518080.tif 000015
は、ＢＷＰ内のＲＢＧの数を表し；ＮＢＷＰｓｉｚｅは、ＢＷＰに含まれるＲＢの数であり、Ｐは、ＲＢＧサイズ、つまり、１つのＲＢＧに含まれるＲＢの数であり；ＲＢＧＳｔａｒｔは、データチャネルの周波数領域の開始ＲＢＧ番号であり；ＬＲＢＧ≦ＮＢＷＰＲＢＧ−ＲＢＧＳｔａｒｔ。
【０１９８】
受信ユニット５１、処理ユニット５２、及び送信ユニット５３のより詳細な記載については、図５に示される方法における端末デバイスの関連記載を参照されたく、詳細はここで再び記載されない。
【０１９９】
上記の実施形態における通信方法のそれと同じ概念に基づいて、図１１に示されるように、本願の実施形態は、通信装置６０００を更に提供する。通信装置は、図５に示される通信方法に適用されてよい。通信装置６０００は、図２に示されるネットワークデバイス１００であってよく、あるいは、ネットワークデバイス１００に適用されるコンポーネント（例えば、チップ）であってよい。通信装置６０００は、処理ユニット６１、送信ユニット６２、及び受信ユニット６３を含む。
【０２００】
処理ユニット６１は、データチャネルの周波数領域リソース位置を示すために使用される周波数領域リソース指示値ＲＩＶを決定するよう構成され、ＲＩＶは、バンド幅部分ＢＷＰ内のリソースブロックグループＲＢＧの数ＮＢＷＰＲＢＧに関係があり、ＮＢＷＰＲＢＧは、ＢＷＰに含まれるＲＢの数ＮＢＷＰｓｉｚｅ及びＲＢＧサイズＰに関係がある。
【０２０１】
送信ユニット６２は、ＲＩＶを端末デバイスへ送信するよう構成される。
【０２０２】
送信ユニット６２は、ＲＩＶによって示される周波数領域リソース位置で端末デバイスへデータチャネルを送信するよう更に構成される。
【０２０３】
受信ユニット６３は、周波数領域リソース位置で端末デバイスからデータチャネルを受信するよう構成される。
【０２０４】
実施において、送信ユニット６２は、ＢＷＰに含まれるＲＢの数の範囲に対応する少なくとも２つのＲＢＧサイズのうちの１つを示すために使用される第１指示情報を端末デバイスへ送信するよう更に構成される。
【０２０５】
他の実施では、送信ユニット６２は、Ｐを端末デバイスへ送るよう更に構成される。
【０２０６】
更なる他の実施では、処理ユニット６１は、次の式を使用することによってＲＩＶを決定するよう構成される。
【数１０】
2021518080.tif 000016
ここで、ＬＲＢＧは、データチャネルの周波数領域によって占有されるＲＢＧの数を表し、ＬＲＢＧ≧１；
【数１１】
2021518080.tif 000017
は、ＢＷＰ内のＲＢＧの数を表し；ＮＢＷＰｓｉｚｅは、ＢＷＰに含まれるＲＢの数であり、Ｐは、ＲＢＧサイズ、つまり、１つのＲＢＧに含まれるＲＢの数であり；ＲＢＧＳｔａｒｔは、データチャネルの周波数領域の開始ＲＢＧ番号であり；ＬＲＢＧ≦ＮＢＷＰＲＢＧ−ＲＢＧＳｔａｒｔ。
【０２０７】
処理ユニット６１、送信ユニット６２、及び受信ユニット６３のより詳細な記載については、図５に示される方法におけるネットワークデバイスの関連記載を参照されたく、詳細はここで再び記載されない。
【０２０８】
本願の実施形態は、通信装置を更に提供する。通信装置は、上記の通信方法を実行するよう構成される。上記の通信方法のいくつか又は全ては、ハードウェアを使用することによって実装されてよく、あるいは、ソフトウェアを使用することによって実装されてよい。
【０２０９】
任意に、具体的な実施中に、通信装置は、チップ又は集積回路であってよい。
【０２１０】
任意に、上記の実施形態における通信方法のいくつか又は全てがソフトウェアを使用することによって実装される場合に、通信装置は、プログラムを記憶するよう構成されたメモリと、メモリに記憶されているプログラムを実行するよう構成されたプロセッサとを含み、それにより、プログラムが実行される場合に、通信装置は、上記の実施形態で提供される通信方法を実装することを可能にされる。
【０２１１】
任意に、メモリは、物理的に独立したユニットであってよく、あるいは、プロセッサと一体化されてよい。
【０２１２】
任意に、上記の実施形態における通信方法のいくつか又は全てがソフトウェアを使用することによって実装される場合に、通信装置は、代替的に、プロセッサしか含まなくてもよい。プログラムを記憶するよう構成されたメモリは、通信装置の外に配置される。プロセッサは、回路／配線を使用することによってメモリへ接続され、メモリに記憶されているプログラムを読み出して実行するよう構成される。
【０２１３】
プロセッサは、中央演算処理装置（central  processing  unit，ＣＰＵ）、ネットワークプロセッサ（network  processor，ＮＰ）、又はＣＰＵとＮＰとの組み合わせであってよい。
【０２１４】
プロセッサは、ハードウェアチップを更に含んでよい。ハードウェアチップは、特定用途向け集積回路（application-specific  integrated  circuit，ＡＳＩＣ）、プログラム可能論理デバイス（programmable  logic  device，ＰＬＤ）、又はそれらの組み合わせであってよい。ＰＬＤは、複合プログラム可能論理デバイス（complex  programmable  logic  device，ＣＰＬＤ）、フィールド・プログラマブル・ゲート・アレイ（field-programmable  gate  array）、ジェネリック・アレイ・ロジック（generic  array  logic，ＧＡＬ）、又はそれらの組み合わせであってよい。
【０２１５】
メモリは、揮発性メモリ（volatile  memory）、例えば、ランダム・アクセス・メモリ（random-access  memory，ＲＡＭ）を含んでよい。メモリは、代替的に、不揮発性メモリ（non-volatile  memory）、例えば、フラッシュメモリ（flash  memory）、ハード・ディスク・ドライブ（hard  disk  drive，ＨＤＤ）、又はソリッド・ステート・ドライブ（solid-state  drive，ＳＳＤ）を含んでよい。メモリは、代替的に、上記のタイプのメモリの組み合わせを含んでもよい。
【０２１６】
図１２は、端末デバイスの簡略化された略構造図である。理解及び説明の簡単のために、端末デバイスが携帯電話機である例が、図１２では使用される。図１２に示されるように、端末デバイスは、プロセッサ、メモリ、無線周波数回路、アンテナ、及び入出力装置を含む。プロセッサは主に、通信プロトコル及び通信データを処理すること、端末デバイスを制御すること、ソフトウェアプログラムを実行すること、ソフトウェアプログラムのデータを処理すること、などのために構成される。メモリは主に、ソフトウェアプログラム及びデータを記憶するよう構成される。無線周波数回路は主に、ベースバンド信号と無線周波数信号との間の変換を実行し、無線周波数信号を処理するよう構成される。アンテナは主に、電磁波の形で無線周波数信号を受信及び送信するよう構成される。タッチスクリーン、ディスプレイ、又はキーボードのような入出力装置は主に、ユーザによって入力されたデータを受け取りかつデータをユーザに出力するよう構成される。いくつかのタイプの端末デバイスは入出力装置を備えないことがある点が留意されるべきである。
【０２１７】
データが送信される必要がある場合に、送信されるべきデータに対してベースバンド処理を実行した後、プロセッサは、ベースバンド信号を無線周波数回路へ出力し、無線周波数回路は、ベースバンド信号に対して無線周波数処理を実行し、それから、アンテナを使用することによって、無線周波数信号を電磁波の形で外部へ送信する。データが端末デバイスへ送信される場合に、無線周波数回路は、アンテナを通じて無線周波数信号を受信し、無線周波数信号をベースバンド信号に変換し、ベースバンド信号をプロセッサへ出力し、プロセッサは、ベースバンド信号をデータに変換し、データを処理する。記載の簡単のために、図１２は、１つのメモリ及び１つのプロセッサしか示さない。実際の端末デバイス製品では、１つ以上のプロセッサ及び１つ以上のメモリが存在し得る。メモリは、記憶媒体、記憶デバイス、などとも呼ばれ得る。メモリは、プロセッサから独立して配置されてよく、あるいは、プロセッサと一体化されてよい。これは、本願のこの実施形態で制限されない。
【０２１８】
本願のこの実施形態において、受信及び送信機能を備えているアンテナ及び無線周波数回路は、端末デバイスの受信ユニット及び送信ユニット（集合的にトランシーバとも呼ばれ得る）と見なされてよく、処理機能を備えているプロセッサは、端末デバイスの処理ユニットと見なされてよい。図１２に示されるように、端末デバイスは、受信ユニット７１、処理ユニット７２、及び送信ユニット７３を含む。受信ユニット７１は、受信器、受信機械、受信回路、などとも呼ばれ得る。送信ユニット７３は、送信器、送信デバイス、送信機械、送信回路、などとも呼ばれ得る。処理ユニット７２は、プロセッサ、処理ボード、処理モジュール、処理装置、などとも呼ばれ得る。
【０２１９】
例えば、実施形態において、受信ユニット７１は、図３に示される実施形態におけるステップＳ１０１、Ｓ１０２、及びＳ１０３ａでの端末デバイスの機能を実行するよう構成され、送信ユニット７３は、図３に示される実施形態におけるステップ１０３ｂでの端末デバイスの機能を実行するよう構成される。
【０２２０】
他の例として、他の実施形態では、受信ユニット７１は、図４に示される実施形態におけるステップＳ２０１及びＳ２０３ａでの端末デバイスの機能を実行するよう構成され、処理ユニット７２は、図４に示される実施形態におけるステップＳ２０２を実行するよう構成され、送信ユニット７３は、図４に示される実施形態におけるステップＳ２０３ｂでの端末デバイスの機能を実行するよう構成される。
【０２２１】
他の例として、更なる他の実施形態では、受信ユニット７１は、図５に示される実施形態におけるステップＳ３０２及びＳ３０３ａでの端末デバイスの機能を実行するよう構成され、送信ユニット７３は、図５に示される実施形態におけるステップＳ３０３ｂでの端末デバイスの機能を実行するよう構成される。
【０２２２】
図１３は、ネットワークデバイスの簡略化された略構造図である。ネットワークデバイスは、部分８２と、無線周波数信号の受信／送信及び変換のための部分とを含む。無線周波数信号の受信及び送信並びに変換のための部分は、受信ユニット８１及び送信ユニット８３（集合的にトランシーバユニットとも呼ばれ得る）を更に含む。無線周波数信号の受信／送信及び変換のための部分は主に、無線周波数信号を送信／受信し、無線周波数信号とベースバンド信号との間の変換を行うよう構成される。部分８２は主に、ベースバンド処理を実行すること、ネットワークデバイスを制御すること，などのために構成される。受信ユニット８１は、受信器、受信機械、受信回路、などとも呼ばれ得る。送信ユニット８３は、送信器、送信デバイス、送信機械、送信回路、などとも呼ばれ得る。部分８２は、通常は、ネットワークデバイスのコントロールセンターであり、通常は、図３、図４、又は図５でネットワークデバイスによって実行されるステップを実行するようにネットワークデバイスを制御するよう構成された処理ユニットと呼ばれ得る。詳細については、関連する部分の上記説明を参照されたい。
【０２２３】
部分８２は、１つ以上のボードを含んでよい。各ボードは、１つ以上のプロセッサ及び１つ以上のメモリを含んでよい。プロセッサは、ベースバンド処理機能を実装しかつネットワークデバイスを制御するために、メモリ内のプログラムを読み出して実行するよう構成される。複数のボードがある場合には、ボードは、処理機能を拡張するよう相互接続されてよい。任意の実施では、代替的に、複数のボードは、１つ以上のプロセッサを共有してよく、あるいは、複数のボードは、１つ以上のメモリを共有する。
【０２２４】
例えば、実施形態において、送信ユニット８３は、図３に示される実施形態におけるステップＳ１０１、Ｓ１０２、及びＳ１０３ａでのネットワークデバイスの機能を実行するよう構成され、受信ユニット８１は、図３に示される実施形態におけるステップＳ１０３ｂでのネットワークデバイスの機能を実行するよう構成される。
【０２２５】
他の例として、他の実施形態では、送信ユニット８３は、図４に示される実施形態におけるステップＳ２０１及びＳ２０３ａでのネットワークデバイスの機能を実行するよう構成され、受信ユニット８１は、図４に示される実施形態におけるステップＳ２０３ｂでのネットワークデバイスの機能を実行するよう構成される。
【０２２６】
他の例として、更なる他の実施形態では、処理ユニット８２は、図５に示される実施形態におけるステップＳ３０１を実行するよう構成され、送信ユニット８３は、図５に示される実施形態におけるステップＳ３０２及びＳ３０３ａでのネットワークデバイスの機能を実行するよう構成され、受信ユニット８１は、図５に示される実施形態におけるステップＳ３０３ｂでのネットワークデバイスの機能を実行するよう構成される。
【０２２７】
当業者に明らかに理解され得るように、便宜上、かつ、簡潔な記載のために、上記のシステム、装置、及びユニットの詳細な作動プロセスについては、上記の方法の実施形態における対応するプロセスを参照されたく、詳細はここで再び記載されない。
【０２２８】
本願で提供されるいくつかの実施形態では、開示されるシステム、装置、及び方法は他の様態で実装されてもよいことが理解されるべきである。例えば、ユニット分割は、単に、論理的な機能分割にすぎず、実際の実施中には他の分割が存在してもよい。例えば、複数のユニット又はコンポーネントは、他のシステムに結合又は一体化されてよく、あるいは、いくつかの特徴は無視されても又は実行されなくてもよい。更には、表示又は議論されている相互結合、直接的な結合、又は通信接続は、いくつかのインターフェースを使用することによって実装されてよい。装置又はユニット間の間接的な結合又は通信接続は、電子的な、機械的な、又は他の形態で実装されてよい。
【０２２９】
別々の部分として記載されているユニットは、物理的に分離していてもしていなくてもよく、ユニットして表されている部分は、物理的ユニットであってもなくてもよく、１つの場所に置かれても、あるいは、複数のネットワークユニット上に分布してもよい。ユニットのいくつか又は全ては、実施形態の解決法の目的を達成するために実際の要件に基づいて選択されてよい。
【０２３０】
上記の実施形態のいくつか又は全ては、ソフトウェア、ハードウェア、ファームウェア、又はそれらの任意の組み合わせを使用することによって実装されてよい。ソフトウェアが実施形態を実装するために使用される場合に、実施形態は、完全に又は部分的に、コンピュータプログラム製品の形で実装されてよい。コンピュータプログラム製品は、１つ以上のコンピュータ命令を含む。コンピュータプログラム命令がコンピュータでロード及び実行される場合に、本願の実施形態に従うプロシージャ又は機能は、全て又は部分的に生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体を使用することによって伝送されてよい。コンピュータ命令は、１つのウェブサイト、コンピュータ、サーバ、又はデータセンターから、他のウェブサイト、コンピュータ、サーバ、又はデータセンターへ有線（例えば、同軸ケーブル、光ファイバ、若しくはデジタル加入者回線（digital  subscriber  line，ＤＳＬ））又は無線（例えば、赤外線、電波、若しくはマイクロ波）で伝送されてよい。コンピュータ記憶媒体は、コンピュータによってアクセス可能な任意の使用可能な媒体、又は１つ以上の使用可能な媒体を組み込むサーバ若しくはデータセンターのようなデータ記憶デバイスであってよい。使用可能媒体は、リード・オンリー・メモリ（read-only  memory，ＲＯＭ）、ランダム・アクセス・メモリ（random  access  memory，ＲＡＭ）、又はフロッピーディスク、ハードディスク、磁気テープ、磁気ディスクのような磁気媒体、又はデジタル・バーサタイル・ディスク（digital  versatile  disc，ＤＶＤ）のような光学媒体、又はソリッド・ステート・ディスク（solid-state  disk，ＳＳＤ）のような半導体媒体であってよい。
【０２３１】
本願は、２０１８年４月４日付で「COMMUNICATION  METHOD  AND  COMMUNICATIONS  APPARATUS」と題されて中国特許庁に出願された中国特許出願第２０１８１０２９９０９９．８号の優先権を主張する。なお、先の中国特許出願は、その全文を参照により本願に援用される。
【図１】
2021518080.tif 000018
【図２】
2021518080.tif 000019
【図３】
2021518080.tif 000020
【図４】
2021518080.tif 000021
【図５】
2021518080.tif 000022
【図６】
2021518080.tif 000023
【図７】
2021518080.tif 000024
【図８】
2021518080.tif 000025
【図９】
2021518080.tif 000026
【図１０】
2021518080.tif 000027
【図１１】
2021518080.tif 000028
【図１２】
2021518080.tif 000029
【図１３】
2021518080.tif 000030
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
データチャネルの開始シンボルの基準位置を示すために使用される第１指示情報をネットワークデバイスから受信することと、
物理ダウンリンク制御チャネル（ＰＤＣＣＨ）を前記ネットワークデバイスから受信することと、
前記第１指示情報及び前記ＰＤＣＣＨに基づいて前記ネットワークデバイスから前記データチャネルを受信すること、又は前記第１指示情報及び前記ＰＤＣＣＨに基づいて前記ネットワークデバイスへ前記データチャネルを送信することと
を有する通信方法。
【請求項２】
前記基準位置は、スロット境界、又は前記ＰＤＣＣＨの開始シンボルである、
請求項１に記載の通信方法。
【請求項３】
前記第１指示情報は、ダウンリンク制御情報のフォーマットに関連する、
請求項１又は２に記載の通信方法。
【請求項４】
前記データチャネルの開始シンボルのインデックス及び前記データチャネルによって占有されるシンボルの数の少なくとも１つの組を有する上位レイヤシグナリングを前記ネットワークデバイスから受信することを更に有する、
請求項１乃至３のうちいずれか一項に記載の通信方法。
【請求項５】
上位レイヤシグナリングを前記ネットワークデバイスから受信することを更に有し、
前記上位レイヤシグナリングは、Ｎ個の開始及び長さインジケータ値（ＳＬＩＶ）を有する第１時間領域リソースセットを構成するために使用され、各ＳＬＩＶは、１つのインデックスに対応し、Ｎは、１６以下である正の整数である、
請求項１乃至３のうちいずれか一項に記載の通信方法。
【請求項６】
前記ＰＤＣＣＨは、前記データチャネルの開始シンボルのインデックスと、前記データチャネルによって占有されるシンボルの数とを示すＳＬＩＶのインデックスを有する時間領域リソース指示情報を有する、
請求項５に記載の通信方法。
【請求項７】
前記第１指示情報は、上位レイヤシグナリングに含まれる、
請求項１乃至６のうちいずれか一項に記載の通信方法。
【請求項８】
データチャネルの開始シンボルの基準位置を示すために使用される第１指示情報を端末デバイスへ送信することと、
物理ダウンリンク制御チャネル（ＰＤＣＣＨ）を前記端末デバイスへ送信することと、
前記端末デバイスへ前記データチャネルを送信すること、又は前記端末デバイスから前記データチャネルを受信することと
を有する通信方法。
【請求項９】
前記基準位置は、スロット境界、又は前記ＰＤＣＣＨの開始シンボルである、
請求項８に記載の通信方法。
【請求項１０】
前記第１指示情報は、ダウンリンク制御情報のフォーマットに関連する、
請求項８又は９に記載の通信方法。
【請求項１１】
前記データチャネルの開始シンボルのインデックス及び前記データチャネルによって占有されるシンボルの数の少なくとも１つの組を有する上位レイヤシグナリングを前記端末デバイスへ送信することを更に有する、
請求項８乃至１０のうちいずれか一項に記載の通信方法。
【請求項１２】
上位レイヤシグナリングを前記端末デバイスへ送信することを更に有し、
前記上位レイヤシグナリングは、Ｎ個の開始及び長さインジケータ値（ＳＬＩＶ）を有する第１時間領域リソースセットを構成するために使用され、各ＳＬＩＶは、１つのインデックスに対応し、Ｎは、１６以下である正の整数である、
請求項８乃至１０のうちいずれか一項に記載の通信方法。
【請求項１３】
前記ＰＤＣＣＨは、前記データチャネルの開始シンボルのインデックスと、前記データチャネルによって占有されるシンボルの数とを示すＳＬＩＶのインデックスを有する時間領域リソース指示情報を有する、
請求項１２に記載の通信方法。
【請求項１４】
前記第１指示情報は、上位レイヤシグナリングに含まれる、
請求項８乃至１３のうちいずれか一項に記載の通信方法。
【請求項１５】
請求項１乃至７のうちいずれか一項に記載の通信方法又は請求項８乃至１４のうちいずれか一項に記載の通信方法を実行するよう適応された手段を有する、
通信装置。
【請求項１６】
コンピュータプログラム又は命令を記憶するコンピュータ可読記憶媒体であって、
前記コンピュータプログラム又は命令が通信装置によって実行されるとき、請求項１乃至７のうちいずれか一項に記載の通信方法又は請求項８乃至１４のうちいずれか一項に記載の通信方法が実施される、
コンピュータ可読記憶媒体。
【請求項１７】
請求項１乃至７のうちいずれか一項に記載の通信方法を実行するよう構成された端末デバイスと、
請求項８乃至１４のうちいずれか一項に記載の通信方法を実行するよう構成されたネットワークデバイスと
を有する通信システム。
【手続補正２】
【補正対象書類名】明細書
【補正対象項目名】００６１
【補正方法】変更
【補正の内容】
【００６１】
通信装置がチップである場合に、送信ユニットは出力ユニット、例えば、出力回路又は通信インターフェースであってよく、受信ユニットは入力ユニット、例えば、入力回路又は通信インターフェースであってよい。通信装置が端末デバイスである場合に、送信ユニットは送信器又は送信機械であってよく、受信ユニットは受信器又は受信機械であってよい。
【手続補正３】
【補正対象書類名】明細書
【補正対象項目名】００６６
【補正方法】変更
【補正の内容】
【００６６】
通信装置がチップである場合に、送信ユニットは出力ユニット、例えば、出力回路又は通信インターフェースであってよく、受信ユニットは入力ユニット、例えば、入力回路又は通信インターフェースであってよい。通信装置がネットワークデバイスである場合に、受信ユニットは受信器（受信機械とも呼ばれ得る）であってよく、送信ユニットは送信器（送信機械とも呼ばれ得る）であってよい。
【手続補正４】
【補正対象書類名】明細書
【補正対象項目名】０１１８
【補正方法】変更
【補正の内容】
【０１１８】
その後に、Ｓ２０１又はＳ２０３ａの後（具体的に言えば、端末デバイスがネットワークデバイスによって送信されたデータチャネルを受信した後）、端末デバイスは、データチャネルの開始シンボルの実際の値及び占有されるシンボルの数の実際の値を、データチャネルの開始シンボルのコンフィグレーション値情報及び占有されるシンボルの数のコンフィグレーション値情報に基づいて決定する。代替的に、Ｓ２０３ｂの前（具体的に言えば、端末デバイスがデータチャネルをネットワークデバイスへ送信する前）に、端末デバイスは、データチャネルの開始シンボルの実際の値及び占有されるシンボルの数の実際の値を決定してよい。
【国際調査報告】
2021518080.tif 000031
2021518080.tif 000032
2021518080.tif 000033
2021518080.tif 000034